(57)【特許請求の範囲】
【請求項１】
会員の体内から採取され、かつ、採取後に少なくとも治療に必要な量まで増殖させられた治療用自己細胞を当該会員本人への体内投与によって生体内損傷部位再生治療に使用するための、該治療用自己細胞の配送を支援する配送支援システムであって、
前記治療用自己細胞を当該会員毎に区別して保管する、地理的に異なる位置に複数存在する保管手段（３４）と、
前記保管手段（３４）に前記治療用自己細胞が保管されている会員と一意的に対応するＩＤ情報と、少なくとも会員名を含む当該会員の会員情報とを関連付けて記憶する、コンピュータによって機能させられる会員情報記憶手段（２３）と、
前記治療用自己細胞の配送を治療のために必要とする会員のＩＤ情報及び当該会員の現在位置を表わす位置情報を含む配送要求の入力を受け付ける、コンピュータによって機能させられる配送要求受信手段（２１）と、
前記配送要求受信手段（２１）によって入力が受け付けられた配送要求に含まれるＩＤ情報に基づいて、前記会員情報記憶手段（２３）から当該会員の会員情報を検索する、コンピュータによって機能させられる会員情報検索手段（２２）と、
前記配送要求受信手段（２１）によって入力が受け付けられた配送要求に含まれる会員の位置情報に基づいて、あらかじめ登録された複数の治療施設を含む場所の内から当該会員が治療を受けるべき配送先を特定し、前記複数の保管手段（３４）の内の配送すべき保管手段（３４）を配送元として特定する、コンピュータによって機能させられる配送元特定手段（２６）と、
前記配送元特定手段（２６）によって特定された配送元の前記保管手段（３４）における配送の担当者に向けて情報を出力するために、前記会員情報検索手段（２２）によって検索された少なくとも会員名を含む会員情報、及び前記特定された配送先に関する配送先情報を送信する、コンピュータによって機能させられる配送要求転送手段（２７）と、
前記配送要求転送手段（２７）によって送信された、前記会員情報検索手段（２２）によって検索された少なくとも会員名を含む会員情報及び前記特定された配送先に関する配送先情報を前記保管手段（３４）における配送の担当者に向けて出力する配送要求出力手段（３３）と、を有することを特徴とする治療用自己細胞の配送支援システム。
【請求項２】
請求項１に記載の治療用自己細胞の配送支援システムにおいて、
前記配送元特定手段（２６）が配送元として特定する保管手段（３４）は、前記特定された配送先への配送時間が最も小さい地理的位置にある保管手段（３４）である治療用自己細胞の配送支援システム。
【請求項３】
請求項１または２に記載の治療用自己細胞の配送支援システムにおいて、
前記会員情報記憶手段（２３）に記憶される会員のＩＤ情報であって、ある会員に対応するＩＤ情報を記録し、かつ、当該ＩＤ情報を通信ネットワーク（４０）を介して前記配送要求受信手段（２１）に送信するＩＤ情報記憶手段（１１）を更に有する治療用自己細胞の配送支援システム。
【請求項４】
請求項３に記載の治療用自己細胞の配送支援システムにおいて、
前記ＩＤ情報記憶手段（１１）は、手動による操作に応じて前記ＩＤ情報を前記通信ネットワーク（４０）を介して前記配送要求受信手段（２１）に送信する治療用自己細胞の配送支援システム。
【請求項５】
請求項１から４のいずれか１項に記載の治療用自己細胞の配送支援システムにおいて、
前記治療用自己細胞を配送するための地理的に異なる位置に存在する複数の配送手段（６２）の種類及び所在位置をあらかじめ記憶しており、前記会員の位置情報に基づいて、前記あらかじめ記憶された複数の配送手段（６２）の中から、配送手段（６２）から配送元を経由して配送先に到達するまでの時間が最小となるような配送手段（６２）を特定し、当該特定された配送手段（６２）に対して配送指令を送信する配送指令手段（２８）、を更に有する治療用自己細胞の配送支援システム。
【請求項６】
会員の体内から採取され、かつ、採取後に少なくとも治療に必要な量まで増殖させられた治療用自己細胞を当該会員本人への体内投与によって生体内損傷部位再生治療に使用するための、該治療用自己細胞の配送を支援する配送支援システムであって、
前記治療用自己細胞を当該会員毎に区別して保管する保管手段（３４）と、
前記保管手段（３４）に前記治療用自己細胞が保管されている会員と一意的に対応するＩＤ情報と、少なくとも会員名を含む当該会員の会員情報とを関連付けて記憶する、コンピュータによって機能させられる会員情報記憶手段（２３）と、
前記治療用自己細胞の配送を治療のために必要とする会員のＩＤ情報及び当該会員の現在位置を表わす位置情報を含む配送要求の入力を受け付ける、コンピュータによって機能させられる配送要求受信手段（２１）と、
前記配送要求受信手段（２１）によって入力が受け付けられた配送要求に含まれるＩＤ情報に基づいて、前記会員情報記憶手段（２３）から当該会員の会員情報を検索する、コンピュータによって機能させられる会員情報検索手段（２２）と、
前記会員情報検索手段（２２）によって検索された会員情報及び当該会員の位置情報を前記保管手段（３４）における配送の担当者に向けて出力する配送要求出力手段（３３）と、
前記会員情報記憶手段（２３）に記憶される会員のＩＤ情報であって、ある会員に対応するＩＤ情報を記録し、かつ、当該ＩＤ情報を通信ネットワーク（４０）を介して前記配送要求受信手段（２１）に送信するＩＤ情報記憶手段（１１）と、を有し、
前記ＩＤ情報記憶手段（１１）は、心拍数、呼吸周期、心電図パターン、音声及び身体動作の少なくとも一つを含む会員の身体的データをモニターしており、それに異常が検出された場合に前記ＩＤ情報を前記通信ネットワーク（４０）に送信することを特徴とする治療用自己細胞の配送支援システム。
【請求項７】
請求項６に記載の治療用自己細胞の配送支援システムにおいて、
前記ＩＤ情報記憶手段（１１）は、前記身体的データに異常が検出された場合に一旦その旨を出力し、それから所定の時間内に確認の入力がなされなかったことを条件として前記ＩＤ情報を前記通信ネットワーク（４０）に送信する治療用自己細胞の配送支援システム。
【請求項８】
請求項６または７に記載の治療用自己細胞の配送支援システムにおいて、
前記ＩＤ情報記憶手段（１１）は、無線によって前記通信ネットワーク（４０）に接続される治療用自己細胞の配送支援システム。
【請求項９】
請求項６から８のいずれか１項に記載の治療用自己細胞の配送支援システムにおいて、
前記配送要求受信手段（２１）は、前記配送要求のための前記通信ネットワーク（４０）との専用の接続部を有しており、データを受信したことによって前記配送要求が送信されてきたと判断する治療用自己細胞の配送支援システム。
【請求項１０】
請求項６から８のいずれか１項に記載の治療用自己細胞の配送支援システムにおいて、
前記配送要求受信手段（２１）は、受信したデータから配送要求を特徴付ける所定のデータを検出することによって前記配送要求が送信されてきたと判断する治療用自己細胞の配送支援システム。
【請求項１１】
請求項６から１０のいずれか１項に記載の治療用自己細胞の配送支援システムにおいて、
前記会員の所在位置を特定し、かつ、当該特定された所在位置を当該会員の位置情報として前記配送要求受信手段（２１）に送信する位置通報手段（１２）、を更に有する治療用自己細胞の配送支援システム。
【請求項１２】
請求項１１に記載の治療用自己細胞の配送支援システムにおいて、
前記位置通報手段（１２）は、無線によって前記通信ネットワーク（４０）に接続される治療用自己細胞の配送支援システム。
【請求項１３】
請求項１２に記載の治療用自己細胞の配送支援システムにおいて、
前記位置通報手段（１２）は、ＧＰＳによって前記会員の所在位置を特定する治療用自己細胞の配送支援システム。
【請求項１４】
請求項１２に記載の治療用自己細胞の配送支援システムにおいて、
前記位置通報手段（１２）は、地上無線設備から電波を受信することによって前記会員の所在位置を特定する治療用自己細胞の配送支援システム。
【請求項１５】
請求項６から１４のいずれか１項に記載の治療用自己細胞の配送支援システムにおいて、
前記治療用自己細胞を配送するための地理的に異なる位置に存在する複数の配送手段（６２）の種類及び所在位置をあらかじめ記憶しており、前記会員の位置情報に基づいて、前記あらかじめ記憶された複数の配送手段（６２）の中から、配送手段（６２）から配送元を経由して配送先に到達するまでの時間が最小となるような配送手段（６２）を特定し、当該特定された配送手段（６２）に対して配送指令を送信する配送指令手段（２８）、を更に有する治療用自己細胞の配送支援システム。
【請求項１６】
会員の体内から採取され、かつ、採取後に少なくとも治療に必要な量まで増殖させられた治療用自己細胞を当該会員本人への体内投与によって生体内損傷部位再生治療に使用するための、該治療用自己細胞の配送を支援する配送支援システムであって、
前記治療用自己細胞を当該会員毎に区別して保管する保管手段（３４）と、
前記保管手段（３４）に前記治療用自己細胞が保管されている会員と一意的に対応するＩＤ情報と、少なくとも会員名を含む当該会員の会員情報とを関連付けて記憶する、コンピュータによって機能させられる会員情報記憶手段（２３）と、
前記治療用自己細胞の配送を治療のために必要とする会員のＩＤ情報及び当該会員の現在位置を表わす位置情報を含む配送要求の入力を受け付ける、コンピュータによって機能させられる配送要求受信手段（２１）と、
前記配送要求受信手段（２１）によって入力が受け付けられた配送要求に含まれるＩＤ情報に基づいて、前記会員情報記憶手段（２３）から当該会員の会員情報を検索する、コンピュータによって機能させられる会員情報検索手段（２２）と、
前記会員情報検索手段（２２）によって検索された会員情報及び当該会員の位置情報を前記保管手段（３４）における配送の担当者に向けて出力する配送要求出力手段（３３）と、
ある会員の事前合意の有無を前記会員情報に基づいて確認するために、前記会員から治療用自己細胞の使用についての事前合意の有無の入力を前記会員情報記憶手段（２３）が記憶する前記会員情報の一部として取得し、かつ、前記事前合意がない会員の前記治療用自己細胞の使用についての合意を当該会員の関係者に確認するために、前記事前合意がない場合に代理承認者として合意できる会員の関係者についての氏名及びメールアドレスを含む情報を前記会員情報記憶手段（２３）が記憶する前記会員情報の一部として取得する、コンピュータによって機能させられる合意確認手段（２４）と、を有し、
前記配送要求出力手段（３３）は、前記合意確認手段（２４）によって前記会員の事前合意があることが確認された場合には当該会員の会員情報及び位置情報を出力し（Ｓ１６１）、前記合意確認手段（２４）によって当該会員の事前合意がないことが確認された場合には当該会員あるいは所定の当該会員の関係者からの合意が前記合意確認手段（２４）によって確認できたこと（Ｓ１６３）を条件として当該会員の会員情報及び位置情報を出力することを特徴とする治療用自己細胞の配送支援システム。
【請求項１７】
請求項１６に記載の治療用自己細胞の配送支援システムにおいて、
配送要求の受信時間、配送要求に含まれる位置情報、配送元として特定された保管手段（３４）、特定された配送先、特定された配送手段（６２）、配送の状況、配送元の出発時間、配送先への到着予定時間、治療合意の有無、保険適用の有無、の内の少なくとも一つを前記配送要求を発した会員あるいは前記合意確認手段（２４）が前記会員情報記憶手段（２３）が記憶する前記会員情報の一部として取得した前記会員の関係者のメールアドレスに基づき当該会員の所定の関係者に送信するプロセス通知手段（２９、Ｓ１９５）、を更に有する治療用自己細胞の配送支援システム。
【請求項１８】
請求項１６又は１７に記載の治療用自己細胞の配送支援システムにおいて、
前記治療用自己細胞を配送するための地理的に異なる位置に存在する複数の配送手段（６２）の種類及び所在位置をあらかじめ記憶しており、前記会員の位置情報に基づいて、前記あらかじめ記憶された複数の配送手段（６２）の中から、配送手段（６２）から配送元を経由して配送先に到達するまでの時間が最小となるような配送手段（６２）を特定し、当該特定された配送手段（６２）に対して配送指令を送信する配送指令手段（２８）、を更に有する治療用自己細胞の配送支援システム。
【請求項１９】
請求項１から１８のいずれか１項に記載の治療用自己細胞の配送支援システムにおいて、
前記治療用自己細胞は、脳梗塞、脳出血、脊椎損傷、心筋梗塞、クモ膜下出血を含む脳卒中、中枢性および末梢性の脱髄疾患、中枢性および末梢性の変性疾患、脳腫瘍、痴呆を含む高次機能障害、精神疾患、てんかん、頭部外傷や脳挫傷や脊髄損傷を含む外傷性の神経系疾患、炎症性疾患、及びヤコブ病を含む脳細胞損傷性の感染性疾患の少なくとも一つの治療に用いられるものである治療用自己細胞の配送支援システム。
【請求項２０】
請求項１から１９のいずれか１項に記載の治療用自己細胞の配送支援システムにおいて、
前記治療用自己細胞は、会員の体内から未分化の状態で採取された間葉系幹細胞である治療用自己細胞の配送支援システム。
【請求項２１】
請求項１から１９のいずれか１項に記載の治療用自己細胞の配送支援システムにおいて、
前記治療用自己細胞は、会員の体内から未分化の状態で採取された間葉系幹細胞に遺伝子操作を加えたものである治療用自己細胞の配送支援システム。
【請求項２２】
請求項１から１９のいずれか１項に記載の治療用自己細胞の配送支援システムにおいて、
前記治療用自己細胞は、会員の体内から未分化の状態で採取された間葉系幹細胞を分化誘導させたものである治療用自己細胞の配送支援システム。
【請求項２３】
会員の体内から採取され、かつ、採取後に少なくとも治療に必要な量まで増殖させられた治療用自己細胞を当該会員本人への体内投与によって生体内損傷部位再生治療に使用するための、当該会員毎に区別して保管手段（３４）に保管された該治療用自己細胞の配送を支援する配送支援方法であって、
前記保管手段（３４）に前記治療用自己細胞が保管されている会員と一意的に対応するＩＤ情報と、少なくとも会員名を含む当該会員の会員情報とを関連付けて記憶する、コンピュータによって実施される会員情報記憶のステップ（Ｓ１０７）と、
前記治療用自己細胞の配送を治療のために必要とする会員のＩＤ情報及び当該会員の現在位置を表わす位置情報を含む配送要求の入力を受け付ける、コンピュータによって実施される配送要求受信のステップ（Ｓ１５７）と、
前記配送要求受信のステップ（Ｓ１５７）によって入力が受け付けられた配送要求に含まれるＩＤ情報に基づいて、前記会員情報記憶のステップ（Ｓ１０７）で記憶された会員情報から当該会員の会員情報を検索する、コンピュータによって実施される会員情報検索のステップ（Ｓ１５９）と、
複数の治療施設を含む場所をあらかじめ登録し、前記配送要求受信のステップ（Ｓ１５７）によって入力が受け付けられた配送要求に含まれる会員の位置情報に基づいて、前記あらかじめ登録された複数の治療施設を含む場所の内から当該会員の位置との距離が最も小さい場所にある配送先を当該会員が治療を受けるべき配送先として特定し、複数の保管手段（３４）の場所をあらかじめ登録し、前記あらかじめ登録された複数の保管手段（３４）の内から前記特定された配送先との距離が最も小さい場所にある保管手段（３４）を配送すべき配送元として特定する、コンピュータによって実施される配送元特定のステップ（Ｓ１８１）と、
前記配送元特定のステップ（Ｓ１８１）によって特定された配送元の前記保管手段（３４）における配送の担当者に向けて情報を出力するために、前記会員情報検索のステップ（Ｓ１５９）によって検索された少なくとも会員名を含む会員情報、及び前記特定された配送先に関する配送先情報を送信する、コンピュータによって機能させられる配送要求転送のステップ（Ｓ１８３）と、
前記会員情報検索のステップ（Ｓ１５９）によって検索された少なくとも会員名を含む会員情報及び前記特定された配送先に関する配送先情報を前記保管手段（３４）における配送の担当者に向けて出力する配送要求出力のステップ（Ｓ１８５）と、を有することを特徴とする治療用自己細胞の配送支援方法。
【請求項２４】
会員の体内から採取され、かつ、採取後に少なくとも治療に必要な量まで増殖させられた治療用自己細胞を当該会員本人への体内投与によって生体内損傷部位再生治療に使用するための、該治療用自己細胞の配送を支援する配送支援システムであって、
前記治療用自己細胞を当該会員毎に区別して保管する保管手段（３４）と、
前記保管手段（３４）に前記治療用自己細胞が保管されている会員と一意的に対応するＩＤ情報と、少なくとも会員名を含む当該会員の会員情報とを関連付けて記憶する、コンピュータによって機能させられる会員情報記憶手段（２３）と、
会員の位置を特定するための位置特定情報を常時的に通信ネットワーク（４０）を介して受信する、コンピュータによって機能させられる常時位置受信手段（７２）と、
施設と施設の位置情報とを対応付けて記憶する施設位置記憶手段（７４）と、
受信された前記位置特定情報から特定される位置情報と前記施設位置記憶手段（７４）に記憶された位置情報とを比較して、会員の位置情報に対応する施設の有無を確認する位置比較手段（７３）と、
前記位置比較手段（７３）によって会員の位置情報に対応する施設があると判断された場合に、当該会員のために配送要求を発することについての確認の入力を受け付けたことを条件として当該会員のＩＤ情報と位置情報を含む配送要求を発する配送要求発信手段（７５）と、
前記配送要求発信手段（７５）によって発せられたＩＤ情報を取得し、当該ＩＤ情報に基づいて、前記会員情報記憶手段（２３）から当該会員の会員情報を検索する、コンピュータによって機能させられる会員情報検索手段（２２）と、
前記会員情報検索手段（２２）によって検索された会員情報及び当該会員の位置情報を前記保管手段（３４）における配送の担当者に向けて出力する配送要求出力手段（３３）と、を有することを特徴とする治療用自己細胞の配送支援システム。
【請求項２５】
請求項２４に記載の治療用自己細胞の配送支援システムにおいて、
前記位置比較手段（７３）は、会員の位置情報に対応する施設の有無を確認する際に、当該会員の位置情報に対応する施設がある場合は、当該施設の専門性指標、時刻の少なくとも一つを含む二次的指標にさらに基づいて配送の要否を判断する治療用自己細胞の配送支援システム。
【発明の詳細な説明】
【技術分野】
【０００１】
本発明は、治療用自己細胞配送支援システムに関し、より詳しくは、本人から採取した治療用自己細胞を保管しておき、本人からの配送要求に応じて、治療のために治療用自己細胞をそれの保管設備から本人の元へと配送することを支援する治療用自己細胞配送支援システムに関する。また、本出願は下記の日本国特許出願に関連する。参照による文献の組み込みが認められる指定国については、当該下記の出願に記載された内容を参照により本出願に組み込み、本出願の記載の一部とする。
【０００２】
出願番号  特願２００３−１８５２６０        出願日  ２００３年６月２７日
【背景技術】
【０００３】
近年、再生医療が脚光を浴びている。再生医療においては、人体の再生能力が及ばないような体の障害に対して、自己の細胞を人工増殖により再生した器官等を障害部位に外科的に接合することによって、幅広い分野において障害部位の治癒を行うことができるようになって来ている。再生医療においては、実際の治療の前段階に非常に多くの準備作業が必要であるため、医療技術のみならず、治療を支援するシステムも非常に重要となってくる。
【０００４】
従来の、再生医療に関する支援システムとしては、細胞を予め採取しておき、依頼者からの要求に応じて、細胞に関する情報を閲覧できると共に、細胞を複数の企業に配達し、そこで細胞の増殖、分化、あるいはオーダメードの薬品、化粧品の製造を可能にするセルバンクシステム及び細胞凍結／解凍方法に関する技術がある（例えば、特開２００２−２７９８３号公報を参照。）。その技術においては、依頼者から採取した細胞を保管しておく細胞保管手段と、保管されている細胞に関する情報が格納されているメモリとを備え、インターネットを経由して保管しておいた細胞及びその遺伝子情報を随時閲覧できる。そしてそれによって、依頼者からの指示により細胞を組織培養企業に輸送して、増殖、分化させると共に、薬品／化粧品製造企業に輸送して、ホームメードの薬品及び化粧品を製造することができる。
【０００５】
しかしこの技術は、自己細胞を保管しているときに、依頼者からの要求に応じて、その自己細胞を目的に応じて増殖、分化させるために薬品／化粧品製造企業等に輸送することを基本とするものであり、輸送後にその企業等で増殖、分化させるためにはかなりの日数がかかるため、急病・事故などの緊急の障害発生に対して効果のある再生医療には適用することが極めて困難である。また、そこで使用される自己細胞は、遺伝子情報の取得、薬剤感応試験のデータ取得、増殖させた自己細胞からのタンパク質等の成分の抽出、移植治療、全能性のあるＥＳ細胞（胚幹細胞）の保管を目的とするものであるが、そこには、緊急の障害に対して迅速な体内投与によって治療効果を発揮するものは開示されていない。また、そのような方法を実際に実施化する際には、利用者の金銭的負担感の軽減を含む現実的なシステムの運営方法の構築が必須であるところ、当該先行技術に関しては、そのような問題は認識すらされていない。
【発明の開示】
【発明が解決しようとする課題】
【０００６】
上述のように、緊急の障害に対して迅速な体内投与によって治療効果を発揮する自己細胞を使用した再生医療を支援するシステムは存在しておらず、そのような治療用自己細胞による治療を実施する上での障害が解決されていない。具体的には以下のような課題が存在する。簡単な操作により利用者のＩＤ情報及び位置情報を送信することによって、治療用自己細胞を配送元であるその保管設備から配送先である治療施設へ配送する配送要求を発し、それに応じて配送手段である交通機関などに配送の指令が送信されることが必要である。その場合、保管設備及び治療施設が複数存在するときには、それらの内から適切なものが選択されることが必要である。保管設備の選択に当たっては、配送先までの時間が最小となるようにすることが必要である。配送要求は、患者の意識水準が低下した場合や運動・感覚能力が傷害された場合に備えて、誤作動を防ぎながら、自動的に発することができるようにする必要がある。配送要求に含める利用者の位置情報は、自動的に正確な位置を取得することができる必要がある。意識水準などが低下した利用者に対して、他者がその利用者本人であることを確認した上で治療用自己細胞による治療を開始できるようにする必要がある。治療についての利用者の事前合意を取得する必要があり、治療時にそれがない場合には、関係者から合意を取得する必要がある。費用面で利用者に大きい負担をかけずにシステムの運用及び緊急時の治療が行うことができるような運営方法を備えることが必要である。そのような運営方法は、好適には会費制組織と保険とを組み合わせたものとする必要がある。保険が無責であった場合には、利用者又はその関係者にその旨を通知して保険金が支払われない旨を事前に知らせておき、費用を準備するための機会を早期に与える必要がある。システムにおけるプロセスの進行状況すなわち治療の支援作業の進捗をネットワーク等でリアルタイムに利用者又はその関係者に通知する必要がある。また、配送要求によって確実にシステムを起動できるようにする必要がある。
【０００７】
しかし従来、上述のような課題を解決するシステムは存在していなかった。本発明は上記の課題に鑑みてなされたものであり、本人から採取した治療用自己細胞を保管しておき、本人からの配送要求に応じて、治療のために治療用自己細胞をそれの保管設備から本人の元へと配送することを支援するシステムを提供するものである。
【課題を解決するための手段】
【０００８】
上述の課題の解決は、以下の特徴を有する本発明によって達成される。
【０００９】
請求項１に記載の発明は、会員の体内から採取され、かつ、採取後に少なくとも治療に必要な量まで増殖させられた治療用自己細胞を当該会員本人への体内投与によって生体内損傷部位再生治療に使用するための、該治療用自己細胞の配送を支援する配送支援システムであって、前記治療用自己細胞を当該会員毎に区別して保管する、地理的に異なる位置に複数存在する保管手段（３４）と、前記保管手段（３４）に前記治療用自己細胞が保管されている会員と一意的に対応するＩＤ情報と、少なくとも会員名を含む当該会員の会員情報とを関連付けて記憶する、コンピュータによって機能させられる会員情報記憶手段（２３）と、前記治療用自己細胞の配送を治療のために必要とする会員のＩＤ情報及び当該会員の現在位置を表わす位置情報を含む配送要求の入力を受け付ける、コンピュータによって機能させられる配送要求受信手段（２１）と、前記配送要求受信手段（２１）によって入力が受け付けられた配送要求に含まれるＩＤ情報に基づいて、前記会員情報記憶手段（２３）から当該会員の会員情報を検索する、コンピュータによって機能させられる会員情報検索手段（２２）と、前記配送要求受信手段（２１）によって入力が受け付けられた配送要求に含まれる会員の位置情報に基づいて、あらかじめ登録された複数の治療施設を含む場所の内から当該会員が治療を受けるべき配送先を特定し、前記複数の保管手段（３４）の内の配送すべき保管手段（３４）を配送元として特定する、コンピュータによって機能させられる配送元特定手段（２６）と、前記配送元特定手段（２６）によって特定された配送元の前記保管手段（３４）における配送の担当者に向けて情報を出力するために、前記会員情報検索手段（２２）によって検索された少なくとも会員名を含む会員情報、及び前記特定された配送先に関する配送先情報を送信する、コンピュータによって機能させられる配送要求転送手段（２７）と、前記配送要求転送手段（２７）によって送信された、前記会員情報検索手段（２２）によって検索された少なくとも会員名を含む会員情報及び前記特定された配送先に関する配送先情報を前記保管手段（３４）における配送の担当者に向けて出力する配送要求出力手段（３３）と、を有することを特徴とする。
【００１０】
請求項２に記載の発明は、請求項１に記載の発明の特徴に加えて、前記配送元特定手段（２６）が配送元として特定する保管手段（３４）は、前記特定された配送先への配送時間が最も小さい地理的位置にある保管手段（３４）であることを特徴とする。
【００１１】
請求項３に記載の発明は、請求項１または２に記載の発明の特徴に加えて、前記会員情報記憶手段（２３）に記憶される会員のＩＤ情報であって、ある会員に対応するＩＤ情報を記録し、かつ、当該ＩＤ情報を通信ネットワーク（４０）を介して前記配送要求受信手段（２１）に送信するＩＤ情報記憶手段（１１）を更に有することを特徴とする。
【００１２】
請求項４に記載の発明は、請求項３に記載の発明の特徴に加えて、前記ＩＤ情報記憶手段（１１）は、手動による操作に応じて前記ＩＤ情報を前記通信ネットワーク（４０）を介して前記配送要求受信手段（２１）に送信することを特徴とする。
【００１３】
請求項５に記載の発明は、請求項１から４のいずれか１項に記載の発明の特徴に加えて、前記治療用自己細胞を配送するための地理的に異なる位置に存在する複数の配送手段（６２）の種類及び所在位置をあらかじめ記憶しており、前記会員の位置情報に基づいて、前記あらかじめ記憶された複数の配送手段（６２）の中から、配送手段（６２）から配送元を経由して配送先に到達するまでの時間が最小となるような配送手段（６２）を特定し、当該特定された配送手段（６２）に対して配送指令を送信する配送指令手段（２８）、を更に有することを特徴とする。
【００１４】
請求項６に記載の発明は、会員の体内から採取され、かつ、採取後に少なくとも治療に必要な量まで増殖させられた治療用自己細胞を当該会員本人への体内投与によって生体内損傷部位再生治療に使用するための、該治療用自己細胞の配送を支援する配送支援システムであって、前記治療用自己細胞を当該会員毎に区別して保管する保管手段（３４）と、前記保管手段（３４）に前記治療用自己細胞が保管されている会員と一意的に対応するＩＤ情報と、少なくとも会員名を含む当該会員の会員情報とを関連付けて記憶する、コンピュータによって機能させられる会員情報記憶手段（２３）と、前記治療用自己細胞の配送を治療のために必要とする会員のＩＤ情報及び当該会員の現在位置を表わす位置情報を含む配送要求の入力を受け付ける、コンピュータによって機能させられる配送要求受信手段（２１）と、前記配送要求受信手段（２１）によって入力が受け付けられた配送要求に含まれるＩＤ情報に基づいて、前記会員情報記憶手段（２３）から当該会員の会員情報を検索する、コンピュータによって機能させられる会員情報検索手段（２２）と、前記会員情報検索手段（２２）によって検索された会員情報及び当該会員の位置情報を前記保管手段（３４）における配送の担当者に向けて出力する配送要求出力手段（３３）と、前記会員情報記憶手段（２３）に記憶される会員のＩＤ情報であって、ある会員に対応するＩＤ情報を記録し、かつ、当該ＩＤ情報を通信ネットワーク（４０）を介して前記配送要求受信手段（２１）に送信するＩＤ情報記憶手段（１１）と、を有し、前記ＩＤ情報記憶手段（１１）は、心拍数、呼吸周期、心電図パターン、音声及び身体動作の少なくとも一つを含む会員の身体的データをモニターしており、それに異常が検出された場合に前記ＩＤ情報を前記通信ネットワーク（４０）に送信することを特徴とする。
【００１５】
請求項７に記載の発明は、請求項６に記載の発明の特徴に加えて、前記ＩＤ情報記憶手段（１１）は、前記身体的データに異常が検出された場合に一旦その旨を出力し、それから所定の時間内に確認の入力がなされなかったことを条件として前記ＩＤ情報を前記通信ネットワーク（４０）に送信することを特徴とする。
【００１６】
請求項８に記載の発明は、請求項６または７に記載の発明の特徴に加えて、前記ＩＤ情報記憶手段（１１）は、無線によって前記通信ネットワーク（４０）に接続されることを特徴とする。
【００１７】
請求項９に記載の発明は、請求項６から８のいずれか１項に記載の発明の特徴に加えて、前記配送要求受信手段（２１）は、前記配送要求のための前記通信ネットワーク（４０）との専用の接続部を有しており、データを受信したことによって前記配送要求が送信されてきたと判断することを特徴とする。
【００１８】
請求項１０に記載の発明は、請求項６から８のいずれか１項に記載の発明の特徴に加えて、前記配送要求受信手段（２１）は、受信したデータから配送要求を特徴付ける所定のデータを検出することによって前記配送要求が送信されてきたと判断することを特徴とする。
【００１９】
請求項１１に記載の発明は、請求項６から１０のいずれか１項に記載の発明の特徴に加えて、前記会員の所在位置を特定し、かつ、当該特定された所在位置を当該会員の位置情報として前記配送要求受信手段（２１）に送信する位置通報手段（１２）、を更に有することを特徴とする。
【００２０】
請求項１２に記載の発明は、請求項１１に記載の発明の特徴に加えて、前記位置通報手段（１２）は、無線によって前記通信ネットワーク（４０）に接続されることを特徴とする。
【００２１】
請求項１３に記載の発明は、請求項１２に記載の発明の特徴に加えて、前記位置通報手段（１２）は、ＧＰＳによって前記会員の所在位置を特定することを特徴とする。
【００２２】
請求項１４に記載の発明は、請求項１２に記載の発明の特徴に加えて、前記位置通報手段（１２）は、地上無線設備から電波を受信することによって前記会員の所在位置を特定することを特徴とする。
【００２３】
請求項１５に記載の発明は、請求項６から１４のいずれか１項に記載の発明の特徴に加えて、前記治療用自己細胞を配送するための地理的に異なる位置に存在する複数の配送手段（６２）の種類及び所在位置をあらかじめ記憶しており、前記会員の位置情報に基づいて、前記あらかじめ記憶された複数の配送手段（６２）の中から、配送手段（６２）から配送元を経由して配送先に到達するまでの時間が最小となるような配送手段（６２）を特定し、当該特定された配送手段（６２）に対して配送指令を送信する配送指令手段（２８）、を更に有することを特徴とする。
【００２４】
請求項１６に記載の発明は、会員の体内から採取され、かつ、採取後に少なくとも治療に必要な量まで増殖させられた治療用自己細胞を当該会員本人への体内投与によって生体内損傷部位再生治療に使用するための、該治療用自己細胞の配送を支援する配送支援システムであって、前記治療用自己細胞を当該会員毎に区別して保管する保管手段（３４）と、前記保管手段（３４）に前記治療用自己細胞が保管されている会員と一意的に対応するＩＤ情報と、少なくとも会員名を含む当該会員の会員情報とを関連付けて記憶する、コンピュータによって機能させられる会員情報記憶手段（２３）と、前記治療用自己細胞の配送を治療のために必要とする会員のＩＤ情報及び当該会員の現在位置を表わす位置情報を含む配送要求の入力を受け付ける、コンピュータによって機能させられる配送要求受信手段（２１）と、前記配送要求受信手段（２１）によって入力が受け付けられた配送要求に含まれるＩＤ情報に基づいて、前記会員情報記憶手段（２３）から当該会員の会員情報を検索する、コンピュータによって機能させられる会員情報検索手段（２２）と、前記会員情報検索手段（２２）によって検索された会員情報及び当該会員の位置情報を前記保管手段（３４）における配送の担当者に向けて出力する配送要求出力手段（３３）と、ある会員の事前合意の有無を前記会員情報に基づいて確認するために、前記会員から治療用自己細胞の使用についての事前合意の有無の入力を前記会員情報記憶手段（２３）が記憶する前記会員情報の一部として取得し、かつ、前記事前合意がない会員の前記治療用自己細胞の使用についての合意を当該会員の関係者に確認するために、前記事前合意がない場合に代理承認者として合意できる会員の関係者についての氏名及びメールアドレスを含む情報を前記会員情報記憶手段（２３）が記憶する前記会員情報の一部として取得する、コンピュータによって機能させられる合意確認手段（２４）と、を有し、前記配送要求出力手段（３３）は、前記合意確認手段（２４）によって前記会員の事前合意があることが確認された場合には当該会員の会員情報及び位置情報を出力し（Ｓ１６１）、前記合意確認手段（２４）によって当該会員の事前合意がないことが確認された場合には当該会員あるいは所定の当該会員の関係者からの合意が前記合意確認手段（２４）によって確認できたこと（Ｓ１６３）を条件として当該会員の会員情報及び位置情報を出力することを特徴とする。
【００２５】
請求項１７に記載の発明は、請求項１６に記載の発明の特徴に加えて、配送要求の受信時間、配送要求に含まれる位置情報、配送元として特定された保管手段（３４）、特定された配送先、特定された配送手段（６２）、配送の状況、配送元の出発時間、配送先への到着予定時間、治療合意の有無、保険適用の有無、の内の少なくとも一つを前記配送要求を発した会員あるいは前記合意確認手段（２４）が前記会員情報記憶手段（２３）が記憶する前記会員情報の一部として取得した前記会員の関係者のメールアドレスに基づき当該会員の所定の関係者に送信するプロセス通知手段（２９、Ｓ１９５）、を更に有することを特徴とする。
【００２６】
請求項１８に記載の発明は、請求項１６または１７に記載の発明の特徴に加えて、前記治療用自己細胞を配送するための地理的に異なる位置に存在する複数の配送手段（６２）の種類及び所在位置をあらかじめ記憶しており、前記会員の位置情報に基づいて、前記あらかじめ記憶された複数の配送手段（６２）の中から、配送手段（６２）から配送元を経由して配送先に到達するまでの時間が最小となるような配送手段（６２）を特定し、当該特定された配送手段（６２）に対して配送指令を送信する配送指令手段（２８）、を更に有することを特徴とする。
【００２７】
請求項１９に記載の発明は、請求項１から１８のいずれか１項に記載の発明の特徴に加えて、前記治療用自己細胞は、脳梗塞、脳出血、脊椎損傷、心筋梗塞、クモ膜下出血を含む脳卒中、中枢性および末梢性の脱髄疾患、中枢性および末梢性の変性疾患、脳腫瘍、痴呆を含む高次機能障害、精神疾患、てんかん、頭部外傷や脳挫傷や脊髄損傷を含む外傷性の神経系疾患、炎症性疾患、及びヤコブ病を含む脳細胞損傷性の感染性疾患の少なくとも一つの治療に用いられるものであることを特徴とする。
【００２８】
請求項２０に記載の発明は、請求項１から１９のいずれか１項に記載の発明の特徴に加えて、前記治療用自己細胞は、会員の体内から未分化の状態で採取された間葉系幹細胞であることを特徴とする。
【００２９】
請求項２１に記載の発明は、請求項１から１９のいずれか１項に記載の発明の特徴に加えて、前記治療用自己細胞は、会員の体内から未分化の状態で採取された間葉系幹細胞に遺伝子操作を加えたものであることを特徴とする。
【００３０】
請求項２２に記載の発明は、請求項１から１９のいずれか１項に記載の発明の特徴に加えて、前記治療用自己細胞は、会員の体内から未分化の状態で採取された間葉系幹細胞を分化誘導させたものであることを特徴とする。
【００３１】
請求項２３に記載の発明は、会員の体内から採取され、かつ、採取後に少なくとも治療に必要な量まで増殖させられた治療用自己細胞を当該会員本人への体内投与によって生体内損傷部位再生治療に使用するための、当該会員毎に区別して保管手段（３４）に保管された該治療用自己細胞の配送を支援する配送支援方法であって、前記保管手段（３４）に前記治療用自己細胞が保管されている会員と一意的に対応するＩＤ情報と、少なくとも会員名を含む当該会員の会員情報とを関連付けて記憶する、コンピュータによって実施される会員情報記憶のステップ（Ｓ１０７）と、前記治療用自己細胞の配送を治療のために必要とする会員のＩＤ情報及び当該会員の現在位置を表わす位置情報を含む配送要求の入力を受け付ける、コンピュータによって実施される配送要求受信のステップ（Ｓ１５７）と、前記配送要求受信のステップ（Ｓ１５７）によって入力が受け付けられた配送要求に含まれるＩＤ情報に基づいて、前記会員情報記憶のステップ（Ｓ１０７）で記憶された会員情報から当該会員の会員情報を検索する、コンピュータによって実施される会員情報検索のステップ（Ｓ１５９）と、複数の治療施設を含む場所をあらかじめ登録し、前記配送要求受信のステップ（Ｓ１５７）によって入力が受け付けられた配送要求に含まれる会員の位置情報に基づいて、前記あらかじめ登録された複数の治療施設を含む場所の内から当該会員の位置との距離が最も小さい場所にある配送先を当該会員が治療を受けるべき配送先として特定し、複数の保管手段（３４）の場所をあらかじめ登録し、前記あらかじめ登録された複数の保管手段（３４）の内から前記特定された配送先との距離が最も小さい場所にある保管手段（３４）を配送すべき配送元として特定する、コンピュータによって実施される配送元特定のステップ（Ｓ１８１）と、前記配送元特定のステップ（Ｓ１８１）によって特定された配送元の前記保管手段（３４）における配送の担当者に向けて情報を出力するために、前記会員情報検索のステップ（Ｓ１５９）によって検索された少なくとも会員名を含む会員情報、及び前記特定された配送先に関する配送先情報を送信する、コンピュータによって機能させられる配送要求転送のステップ（Ｓ１８３）と、前記会員情報検索のステップ（Ｓ１５９）によって検索された少なくとも会員名を含む会員情報及び前記特定された配送先に関する配送先情報を前記保管手段（３４）における配送の担当者に向けて出力する配送要求出力のステップ（Ｓ１８５）と、を有することを特徴とする。
【００３２】
請求項２４に記載の発明は、会員の体内から採取され、かつ、採取後に少なくとも治療に必要な量まで増殖させられた治療用自己細胞を当該会員本人への体内投与によって生体内損傷部位再生治療に使用するための、該治療用自己細胞の配送を支援する配送支援システムであって、前記治療用自己細胞を当該会員毎に区別して保管する保管手段（３４）と、前記保管手段（３４）に前記治療用自己細胞が保管されている会員と一意的に対応するＩＤ情報と、少なくとも会員名を含む当該会員の会員情報とを関連付けて記憶する、コンピュータによって機能させられる会員情報記憶手段（２３）と、会員の位置を特定するための位置特定情報を常時的に通信ネットワーク（４０）を介して受信する、コンピュータによって機能させられる常時位置受信手段（７２）と、施設と施設の位置情報とを対応付けて記憶する施設位置記憶手段（７４）と、受信された前記位置特定情報から特定される位置情報と前記施設位置記憶手段（７４）に記憶された位置情報とを比較して、会員の位置情報に対応する施設の有無を確認する位置比較手段（７３）と、前記位置比較手段（７３）によって会員の位置情報に対応する施設があると判断された場合に、当該会員のために配送要求を発することについての確認の入力を受け付けたことを条件として当該会員のＩＤ情報と位置情報を含む配送要求を発する配送要求発信手段（７５）と、前記配送要求発信手段（７５）によって発せられたＩＤ情報を取得し、当該ＩＤ情報に基づいて、前記会員情報記憶手段（２３）から当該会員の会員情報を検索する、コンピュータによって機能させられる会員情報検索手段（２２）と、前記会員情報検索手段（２２）によって検索された会員情報及び当該会員の位置情報を前記保管手段（３４）における配送の担当者に向けて出力する配送要求出力手段（３３）と、を有することを特徴とする。
【００３３】
請求項２５に記載の発明は、請求項２４に記載の発明の特徴に加えて、前記位置比較手段（７３）は、会員の位置情報に対応する施設の有無を確認する際に、当該会員の位置情報に対応する施設がある場合は、当該施設の専門性指標、時刻の少なくとも一つを含む二次的指標にさらに基づいて配送の要否を判断することを特徴とする。
【発明の効果】
【００３４】
本発明によると、会員から採取した治療用自己細胞を保管手段に保管しておき、会員からのＩＤ情報及び位置情報を含む自己細胞の配送要求を受信し、ＩＤ情報に基づいて会員情報を検索し、配送元の保管設備から配送先の施設に自己細胞を配送するための会員情報と位置情報を出力するため、緊急の障害に対して迅速な体内投与によって治療効果を発揮する保管された自己細胞を使用した再生医療を効果的に支援することができるという効果が得られる。他には本発明によると、保管手段が地理的に異なる位置に複数存在し、配送要求に含まれる会員の位置情報に基づいて配送時間が最も短い保管手段を選択するため、各地に分散配置された保管手段のうちで最寄りのものから最短の配送時間で自己細胞を配送することができるという効果が得られる。他には本発明によると、手動あるいは自動でＩＤ情報を送信するＩＤ情報記憶手段によって、簡単な操作により、あるいは身体状況のデータのモニターにより自動的に配送要求を発することができるため、会員が緊急状況にあるときや意識水準や運動・感覚能力が低下したときでも、確実に配送要求を発することができるという効果が得られる。他には本発明によると、前記身体状況のデータに異常が検出された場合に一旦その旨を出力し、それから所定の時間内に確認の入力がなされなかったことを条件としてＩＤ情報を通信ネットワークに送信するため、患者の意識が低下した場合に備えて、誤作動を防ぎながらも、自動的に配送要求を発することができるという効果が得られる。他には本発明によると、会員の位置をＧＰＳなどを使用して自動的に取得し、配送要求に含めて送信することができるため、会員の正確な位置を知ることができ、配送元及び配送先を確実に特定できるという効果が得られる。他には本発明によると、会員の識別用身体的特徴データを記憶しておき、それを会員情報として配送元に提供するために、たとえ会員に意識がない場合であっても、第三者が会員本人であることを確実に識別できるという効果が得られる。他には本発明によると、会員の事前合意を取得することができるため、緊急時に会員に意識がない場合であっても、治療をする許可をあらためて取る必要なく、治療を開始できるという効果が得られる。他には本発明によると、地理的に異なる位置に存在する複数の配送手段の中から適切な配送手段を特定し、そこに配送指令を送信するために、配送元から配送先への配送時間が最短となる配送手段を選択して配送を開始させることができるという効果が得られる。他には本発明によると、配送要求の受信時間、配送要求に含まれる位置情報、配送元として特定された保管手段、特定された配送先、特定された配送手段、配送の状況、配送元の出発時間、配送先への到着予定時間、治療合意の有無、保険適用の有無などを通信ネットワークを介して送信するため、会員あるいは会員の関係者は、配送プロセスの進行状況をリアルタイムに確認することができるという効果が得られる。他には本発明によると、入会意思の確認、会員情報の取得、アンケートの入力、アンケートのフィードバックを通信ネットワークを通じて行うため、入会、会員登録、入会時の調査、及びその調査に基づくアドバイスといった一連の手続をインターネットなどを通じて行うことができるという効果が得られる。他には本発明によると、配送要求のための通信ネットワークとの専用の接続部を有するために、データを受信したことによって配送要求が送信されてきたと判断して、確実にシステムを起動させることができるという効果が得られる。他には本発明によると、通信ネットワークとの接続部を有しており、受信したデータから配送要求を特徴付ける所定のデータを検出することによって前記配送要求が送信されてきたと判断して、確実にシステムを起動させることができるという効果が得られる。他には本発明によると、短時間で配送される治療用自己細胞によって、心筋梗塞、クモ膜下出血を含む脳卒中、中枢性および末梢性の脱髄疾患、中枢性および末梢性の変性疾患、脳腫瘍、痴呆を含む高次機能障害、精神疾患、てんかん、頭部外傷や脳挫傷や脊髄損傷を含む外傷性の神経系疾患、炎症性疾患、及びヤコブ病を含む脳細胞損傷性の感染性疾患の治療を行うことができるという効果が得られる。他には本発明によると、治療用自己細胞を、会員の体内から未分化の状態で採取された間葉系幹細胞に遺伝子操作を加えたものや、会員の体内から未分化の状態で採取された間葉系幹細胞を分化誘導させたものとすることにより、幅広い再生医療が可能になるという効果が得られる。
【００３５】
他には本発明によると、会員から徴収した徴収金からの、定常的に発生する維持管理費用への定期的な充当、及び配送要求に伴って発生する配送等一時費用への充当を要求するため、徴収金から定常的支出と偶発的支出とを適切に充当することができ、財政的な裏付けを有するシステムの運営を行うことができるという効果が得られる。他には本発明によると、配送要求に関連する治療費用への徴収金からの充当を配送要求に応じて要求するため、システムの運営のみならず、治療に要する費用も一括して徴収金から充当することができるという効果が得られる。他には本発明によると、配送要求に関連する治療費用への徴収金からの充当を、徴収金の少なくとも一部を保険料とする保険からの保険金の支出として配送要求に応じて要求するため、治療についての偶発的費用がどの程度の事前の自己負担によって互助的に補償されるのかということを、受け取り保険金と支払い保険料の関係として明確に示すことができるという効果が得られる。他には本発明によると、保険契約が有責か無責かを事前に確認し、無責である場合には通信ネットワークを通じて無責である旨を通知するため、費用を準備するための機会を早期に与えることができるという効果が得られる。他には本発明によると、保険への加入意思の確認、加入者の情報の取得を通信ネットワークを通じて行うため、保険加入のための一連の手続をインターネットなどを通じて行うことができるという効果が得られる。他には本発明によると、前記保険への加入時と未加入時のそれぞれについて、保険料を含む徴収金、配送要求を行った場合の費用、及び保険金を含む典型的設計を通信ネットワークを通じて送信するため、保険の内容を確認する機会を与え、配送要求を行った場合の保険の有利さを印象付けることができるという効果が得られる。
【００３６】
他には本発明によると、治療のために治療用自己細胞の配送先への配送を必要とする会員のＩＤ情報及び当該会員の位置を特定するための位置特定情報を含む配送要求を通信ネットワークを介して伝達するため、会員の位置の情報を直接的に伝達しなくても、当該会員のもとへ治療用自己細胞を配送することによる自己細胞を使用した再生医療を効果的に支援することができるという効果が得られる。他には本発明によると、位置特定情報に基づいて位置情報を求めることによって、会員の位置情報を確実に特定することができるという効果が得られる。他には本発明によると、会員のＩＤ情報をＵＳＢキーなどの外部メモリー素子に記憶させ、好適にはさらに、コンピュータ端末に接続されたときに会員のＩＤ情報を通信ネットワークを介して伝達するためのプログラム、又は、接続されたコンピュータ端末の位置特定情報を通信ネットワークを介して伝達するためのプログラムをその外部メモリ素子に記憶させることによって、会員が携帯しやすいデバイスを、会員やその会員の位置を特定するために機能させることができるという効果が得られる。他には本発明によると、外部メモリ素子をＵＳＢキーの形態とすることによって、広範な汎用性を有し、かつ、携帯性に優れたＵＳＢキーを会員やその会員の位置を特定するために機能させることができるという効果が得られる。
他には本発明によると、会員の位置情報を常時的にモニターすることによって、会員に対して治療用自己細胞の配送が必要かどうかを自律的に判断することができるという効果が得られる。他には、本発明によると、常時的にモニターされた位置に加えて、会員に対する配送要求の有無の確認や、施設の位置情報、時刻などの二次的指標に基づいて配送要求の有無を判断することによって、配送要求の有無の判断の精度を高めることができるという効果が得られる。
【発明を実施するための最良の形態】
【００３７】
（本発明を適用できる治療用自己細胞による治療の機序）
本発明に係る治療用自己細胞配送支援システムは、治療用自己細胞を使用した外科的手術を必要としない再生医療による治療を支援する。治療用自己細胞とは、会員の体内から未分化の状態で採取された自己細胞を治療に必要な量まで増殖等させたものをいう。治療用自己細胞による治療の機序は以下の通りである。
【００３８】
骨髄中には幹細胞として、造血幹細胞と「間葉系幹細胞（MSC：mesenchymal stem cell）」とがある。ここで「幹細胞」とは、一般に、生体を構成する細胞の生理的な増殖・分化などの過程において、自己増殖能と、特定の機能を持つ細胞に分化する能力とをあわせ有する未分化細胞のことである。造血幹細胞は、赤血球、白血球、あるいは血小板に分化する幹細胞である。間葉系幹細胞は、神経幹細胞を経て神経に分化する場合、神経幹細胞を経ないで直接的に神経に分化する場合、ストローマ細胞を経て神経に分化する場合（ただし効率は悪い）、内蔵に分化する場合、血管系に分化する場合、又は骨、軟骨、脂肪、あるいは筋肉に分化する場合があることが知られている。本発明では、主として間葉系幹細胞を利用するが、造血幹細胞や、体内の他の幹細胞を利用できる可能性があることにも言及しておく。間葉系幹細胞は骨髄から採取された骨髄細胞から分離して得られる。なお、間葉系幹細胞を分離していない骨髄細胞も、有効性は若干劣るものの、間葉系幹細胞と同じように治療に用いることができる。また、間葉系幹細胞に遺伝子操作を加えた細胞や、特定の因子を作用させた細胞も治療に用いることができる。さらには、間葉系幹細胞から分化誘導した細胞、具体的には、神経幹細胞、神経系細胞、赤血球、白血球、血小板、心筋、それらの前駆細胞なども、治療に用いることができると考えられている。
【００３９】
一回の骨髄細胞の採取は、被験者に局所麻酔を施した上で行い、その量は数ｍｌ程度が適切である。被験者は、治療用自己細胞配送支援システム１００の利用者であり、管理を確実に行うために、所定の手続を経て会員として登録される。治療に用いられる間葉系幹細胞は、免疫反応による拒絶を防止するために、免疫抑制などの特殊な操作を行わない限りは会員本人の体内から採取されたもの、あるいはそれに由来するものに限られる。採取された間葉系幹細胞は、増殖培養することができるため、これを用いる治療に必要な量まであらかじめ増殖させておくことができる。増殖させられた間葉系幹細胞は、凍結などの所定の方法により長期間保存しておくことができ、さらには、必要時には迅速に活性状態に戻してその会員の治療のために使用することができる。
【００４０】
ここで、間葉系幹細胞を利用して、以下のような極めて大きな特徴を有する再生治療を行うことできるという所見が得られている。すなわち、間葉系幹細胞を利用した再生治療では、従来は治療が事実上不可能であった神経系の損傷に対して、間葉系自己細胞を体内に注射・点滴などで体内投与（静脈内投与）するだけで、その損傷部位を再生させることができ、障害を治癒させることができるということである。特に、脳梗塞、脳出血、及び脊椎損傷などによる、神経系の損傷に対して有効であることが確認されており、中でも脳梗塞については厳密な有効性の検証がなされている。更には、心筋梗塞、クモ膜下出血を含む脳卒中、中枢性および末梢性の脱髄疾患、中枢性および末梢性の変性疾患、脳腫瘍、痴呆を含む高次機能障害、精神疾患、てんかん、頭部外傷や脳挫傷や脊髄損傷を含む外傷性の神経系疾患、炎症性疾患、及びヤコブ病を含む脳細胞損傷性の感染性疾患に対してもこの治療は有効である。そのような治療は、所定の治療施設においても、さらには現場においても行うことができる。従来治療ができなかった障害を治癒させることができる点、及びそれが静脈内投与などの簡単な処置によって可能である点を考えてみても、これがいかに画期的な治療法であるのかということがわかる。しかも、神経系の損傷は患者に重大な障害をもたらすものであるため、障害の治癒により患者が得られる恩恵は極めて大きく、ひいては社会的な意義も大きい。この再生治療の医学的な作用機序は、間葉系幹細胞が患部（生体内損傷部位）まで遊走した上でそこに定着し、適切な細胞に分化して、その患部の機能を回復することによるものであると考えられている。このため、神経系の損傷を伴う、あらゆる種類の疾患や事故に効果が得られるものと考えられている。間葉系幹細胞の体内への投与は、静脈への１回の投与が基本であるが、複数回の投与でもよい。また、静脈投与ではなく、局所投与やその他の投与方法（動脈内投与、髄液内投与、脳室内投与）であってもよい。
【００４１】
（間葉系幹細胞の投与による脳梗塞の治療効果）
これから間葉系幹細胞による再生医療によって、どの程度、障害を受けた組織を回復させることができるのかについて、ラットを用いた実験結果を示して説明する。図１６は、重症脳梗塞（ラット中大脳動脈永久閉塞モデル）に対して間葉系幹細胞（１×１０6ｃｅｌｌ）を静脈内投与した結果を画像として示すＭＲＩ画像である。その図では、障害発生から間葉系幹細胞の投与までの経過時間ごとに分けて結果を示している。上段から、無処置、３時間後に治療、６時間後に治療、１２時間後に治療、２４時間後に治療、及び７２時間後に治療の結果の画像である。それぞれ、脳梗塞発生の１週間後におけるＭＲＩ検査（Ｔ2ＷＩ）によるものである。画像において、脳梗塞巣は白く描出される。非治療群（最上段）では明確に認められる脳梗塞巣は、脳梗塞後３時間で間葉系幹細胞を静脈内投与した群では、わずかにしか見られない。この治療効果は、治療（移植）が早いほど著明であるが、脳梗塞後２４時間以上を経過した時点で治療した場合でも、ある程度の治療効果が見られることは特記すべきことである。治療効果は、神経保護効果と神経再生効果の相乗効果と考察される。脳梗塞後、早期に移植した場合ほど、神経保護効果や抗浮腫作用が強く、また、比較的遅く治療した場合には、相対的に神経保護効果が弱くなるが、そのかわり、神経再生効果が強くなる。
【００４２】
図１７は、重症脳梗塞（ラット中大脳動脈永久閉塞モデル）に対して間葉系幹細胞（１×１０6ｃｅｌｌ）を静脈内投与した結果を脳梗塞領域の体積として定量的に示すグラフである。その図では、障害発生から間葉系幹細胞の投与までの経過時間ごとに分けて結果を示している。このグラフからわかるように、無処置の場合では約５００ｍｍ3に及んでいた障害部位が、３時間後に治療の場合では２００ｍｍ3にしか及んでおらず、著明な効果が得られている。１２時間後までに治療の場合、無処置の場合と比較して、明らかに障害部位の体積が小さくなっている。また、治療が早ければ早いほど、障害部位の体積が小さくなっており、予後が良好であることがわかる。
【００４３】
図１８は、重症脳梗塞（ラット中大脳動脈永久閉塞モデル）に対して間葉系幹細胞（１×１０6ｃｅｌｌ）を静脈内投与した結果を障害発生後の生存率の変化として示すグラフである。その図では、障害発生から間葉系幹細胞の投与までの経過時間ごとに分けて結果を示している。ｎはサンプル数である。このグラフから、間葉系幹細胞の静脈内投与による治療は、重症脳梗塞における生存率を著明に向上させることが分かる。同脳梗塞モデルラットは、無治療の場合では９０％が死亡するが、間葉系幹細胞を脳梗塞発生後３時間で静脈内投与すると、全例が生存する。治療開始時期が早いほど生存率が高まることが明確に示されている。また治療後の生存率も、画期的な数値である。
【００４４】
（治療用自己細胞による治療支援の概要）
この間葉系幹細胞を利用した再生治療は上述のように極めて画期的な治療法ではあるが、その一方でいくつか制限もある。その制限の一つは、患者自身の体内からあらかじめ採取した幹細胞（あるいはそれに由来するもの）を使用しなければならないということである。しかし最も重要な制限は、患者に障害が発生してから所定の時間内に迅速に治療を行う必要があるということである。障害の発生から治療の開始の時間が遅くなればなるほど、良好な治療効果が得られなくなってくる。ただし、逆にこれは、患者に障害が発生してから治療までの時間が短いと、著効が得られるということでもある。従って、間葉系幹細胞を利用した再生治療においては、患者自身の体内から採取した間葉系幹細胞を、障害の発生からいかに短い時間内に確実に患者のもとに配送することができるか、ということが極めて重大なポイントであり、この再生治療を実施する上での課題である。具体的には、障害の発生から６時間以内、遅くとも７２時間以内に治療を行うこと（セラピティック・タイム・ウィンドウズ）が必要とされている。また、障害の発生時に、患者の意識水準や運動・感覚能力が低下する恐れもある。そのような場合にも確実に対処できるように、簡単な操作によって、治療用自己細胞の配送要求を行うことができるようにする必要がある。
【００４５】
治療用自己細胞は、上述のように、一種の会員専用の医薬品のような働きをする。ただし、治療用自己細胞を保管するためには専門の設備が必要である。従って、数多くの会員の治療用自己細胞を適切に保管しておくためには、集中的に管理する専用の施設である保管設備を設けると好適である。会員に障害が発生した場合は、短時間に患者の元に治療用自己細胞を準備する必要がある。そのため、そのような専用施設を地理的に異なる位置に複数設置すると、いずれか一番近いところから治療用自己細胞を配送することでき、好都合である。また、会員が治療を必要とするのは、病気・事故などの障害が発生した緊急時であるため、できるだけ簡単な操作で会員の情報をシステムに伝えることによって配送要求を発することができるようにする。会員からの配送要求を受信したシステムは、適切な交通手段である配送手段に対し、適切な配送元である保管設備から適切な配送先である治療設備等に治療用自己細胞を配送するような配送指令を出す。本発明の一実施形態に係る治療用自己細胞配送支援システム１００は、上述の目的に応じた動作を行う。
【００４６】
ここで、治療用自己細胞配送支援システム１００に関する費用等に関する事項について説明する。治療用自己細胞配送支援システム１００の運営には、治療用自己細胞の保管などのための定常的な維持管理費用、及び治療用自己細胞の配送などのための配送等一時費用が発生し、これは基本的には会員の負担によらなければならない。これらの費用を賄うために、会員から徴収金を会費として集め、それを適切に支出する必要がある。会費は、一月ごと、半年ごとなどのように定期的に徴収することを基本とするが、入会金のような一時払い徴収金を組み合わせてもよい。ある程度のまとまった入会金を徴収するようにすると、運営主体に対しては手持ち資金が潤沢になるという利点などがあり、会員に対しては定期的会費を相対的に低額にすることができるという利点などがある。ある会員に関する支出については、会員個人毎の徴収金から支出するようにしてもいいし、あるいは会員全体の徴収金から支出するようにしてもよい。会員全体の徴収金から支出するようにすると、徴収金は互助的な意味合いをより強く帯びてくる。また会員は、治療用自己細胞による治療を受ける際には治療費用も必要となってくる。従って、会員の治療時の負担を軽減するためには、その治療費用も一時費用の一種として会員からの徴収金から充当するようにすると好適である。この治療費用も、純粋に再生医療に関する部分の費用のみならず、会員の治療全体に関する費用を充当するようにしてもよい。さらには、健康保険の自己負担分なども含めた種々の関連費用の自由な組み合わせについて徴収金から充当できるようにしてもよい。また、この治療費用や関連費用への充当については、会員からの徴収金の少なくとも一部を保険料とする保険等の金融商品を設定し、その保険の保険金をそれに充当するようにすることもできる。このように会費徴収のシステムとは別に保険を独立して設定することによって、必要となった治療についての偶発的費用が、どの程度の事前の自己負担によって互助的に補償されるのかということを、受け取り保険金と支払い保険料の関係として入会希望者に明確に示すことができる。保険料についても、会費と同様に、一時払い、分割払い、又はそれらの組み合わせによって徴収することができる。なお、保険については、治療用自己細胞配送支援システム１００は、払い込まれた保険料の詳細な情報までをも必ずしも記憶している必要はないため、保険料が適正に払い込まれていて保険契約が有効に存続しているかどうかの情報だけを管理するようにしてもよい。
【００４７】
また、治療用自己細胞の配送時にかかる配送等一時費用は、配送手段６２の種類などによってはかなりの高額になる可能性がある。また、何らかの原因により、ある会員の会費の納入が滞っている場合もあり得る。このような金銭的な裏付けが乏しい場合においても、配送要求を発した会員に対しては確実に治療用自己細胞を配送することが、会員にとって望ましいことである。しかし、どのような場合においても治療用自己細胞の配送を行うということにすると、治療用自己細胞配送支援システム１００の運用主体の財政的健全性を損なって、それの正常な運営に支障を来たすおそれもあり、これでは却って会員の不利益につながる場合もあり得る。これを防ぐために、徴収した会費の一部を前払いプール金として積み立てておき、特に配送等一時費用の発生時には、会費の不足分についてはここから支出するということが考えられる。この前払いプール金については、会員個人を単位とするものでも、会員全体をまとめたものでも、あるいはそれらを適宜組み合わせたものであってもよい。このようにすると、治療用自己細胞配送支援システム１００の運用主体の財政的健全性と、会員に対する治療の確実性とを両立させることができる。
【００４８】
（実施形態）
これから図面を参照して、本発明の一実施形態に係る治療用自己細胞配送支援システム１００について説明する。まず、治療用自己細胞配送支援システム１００の構成について説明する。図１は、治療用自己細胞配送支援システム１００の構成を表わすシステム構成図である。治療用自己細胞配送支援システム１００は、大きく、配送要求部１０、配送要求処理部２０、保管設備３０、通信ネットワーク４０、及び会員端末５０から構成される。治療用自己細胞配送支援システム１００は、配送処理部６０に接続されている。治療用自己細胞配送支援システム１００は、それの利用者が会員制の組織となっていると好適である。治療用自己細胞配送支援システム１００は、会員の体内から未分化の状態で採取され、かつ、採取後に少なくとも治療に必要な量まで増殖させられた会員本人への体内投与による生体内損傷部位再生治療のための治療用自己細胞を保管しておき、会員から発された配送要求に基づいてそれを配送する配送処理部６０に指令を出すためのシステムである。
【００４９】
配送要求部１０は、ＩＤ記憶手段１１及び位置通報手段１２から構成される。ＩＤ記憶手段１１は、会員と一意的に対応する会員番号等のＩＤ情報を記憶しており、それを出力するための構成要素である。ＩＤ記憶手段１１は、典型的には、情報を記憶した小型の半導体チップを有し、その情報を出力する通信手段を有する。ＩＤ記憶手段１１は、好適には、会員が携帯して持ち歩くために適したカード型などの形状を有している。ＩＤ記憶手段１１は、外部からの読み出し用の無線の信号に応答して、ＩＤ情報を通信ネットワーク４０へと出力する。ＩＤ情報は、治療用自己細胞の配送の要求も表わすものとし、当該会員に対して治療用自己細胞配送支援システム１００を起動させる働きもする。なお、ＩＤ記憶手段１１は、会員の心拍数、呼吸周期、心電図パターン、音声、身体動作などの身体的データをモニターしておき、それらのデータに異常が発生した場合にＩＤ情報を自動的に出力するような構成であってもよい。このようにすると、たとえ会員が意識を失ったような場合でも、身体に異常があれば、会員の異常を確実に察知してＩＤ情報を送信することができる。この場合、ＩＤ記憶手段１１が、異常が発生したと判断したときに、一旦、異常が検知された旨を会員に対して出力し、その後、所定の期間内に会員から（実際には異常がないことの）確認の入力がなされなかったことを条件としてＩＤ情報を出力するようにすると好適である。このようにすると、会員の身体状況を誤って異常と判断することによる誤作動を防止することができる。
【００５０】
他には、ＩＤ情報記憶手段１１を会員番号等のＩＤ情報を記憶した外部メモリ素子の形態とすることもできる。外部メモリ素子としては、ＵＳＢキー、ＳＤカード（登録商標）、メモリースティック（登録商標）、などの形態とすることができる。外部メモリ素子の場合、その外面に非常用の表示を付して、本人が発症したときにはこの外部メモリ素子をコンピュータに装着・接続して、治療用自己細胞の配送を受けるための手続を行うような注意書きを記載すると好適である。ＩＤ情報記憶手段１１は、携帯電話機に内蔵されたメモリ素子の形態とすることもできる。外部メモリ素子は、それがコンピュータに接続されたときに会員のＩＤ情報を通信ネットワーク４０を介して前記配送要求受信手段に送信するためのプログラムをさらに記憶していると好適である。このプログラムを自動起動するようにしておけば、外部メモリ素子をコンピュータに接続するだけで自動的に会員のＩＤ情報を送信することができるようになる。
【００５１】
位置通報手段１２は、それの位置情報を出力する構成要素である。位置通報手段１２は、典型的には、ＧＰＳ受信機の機能、あるいは携帯電話会社の位置情報サービスの受信機能を有しており、それによって位置情報を取得し、それを通信ネットワーク４０に出力する。位置通報手段１２は、好適には会員が携帯して持ち歩くために適した携帯機器型などの形状を有しており、これにより、その位置通報手段１２を携帯している会員の位置情報を通信ネットワーク４０に送信することができる。位置通報手段１２は、会員が音声、ボタン操作などによって自分自身で入力した位置情報を通信ネットワーク４０に送信することもできる。なお、会員のＩＤ情報及び位置情報は、会員が治療用自己細胞の配送を要求するための基本的情報であるため、配送要求と称することにする。
【００５２】
位置通報手段１２を、ＧＰＳ受信機あるいは携帯電話会社の位置情報サービスの受信機能を有し、それによって取得した位置情報を出力する携帯電話機の形態とすることもできる。このようにすると、極めて普及度が高く、また、外出時に携帯される可能性が高い携帯電話機に位置通報手段１２を組み込むことによって、会員が位置通報手段１２の携帯を忘れることを防ぐことができる。
【００５３】
なお会員の位置情報は、例えば、緯度、経度で表わされるような直接的な位置の情報である必要はなく、間接的に位置の情報を特定することができるような位置特定情報でもよい。位置特定情報としては、位置通報手段１２が所定の場所に設置されたコンピュータ端末を通じて配送要求処理部２０と通信する場合に、どのコンピュータ端末から配送要求処理部２０に通信してきたのかを特定する端末特定情報を使用することができる。この場合、図示しないが、配送要求処理部２０は、コンピュータ端末を特定する端末特定情報と、そのコンピュータ端末が設置された場所との対応関係をあらかじめ記憶しておき、それに基づいて端末特定情報からその端末の設置場所を特定する端末特定手段を有している。位置通報手段１２は、それをコンピュータ端末に接続したときに、そのコンピュータ端末を特定する端末特定情報を出力する。位置通報手段１２は、前記ＩＤ情報記憶手段がコンピュータ端末に接続されたときに当該コンピュータ端末の位置を前記会員の位置として特定するための位置特定情報を前記通信ネットワークを介して前記配送要求受信手段に送信するためのプログラムを含む外部メモリ素子の形態とすることができる。また位置通報手段１２が含むプログラムは、コンピュータ端末にそれの端末特定情報が記憶されていない場合は、端末の操作者に位置の入力を促すウィンドウを表示し、入力された情報を位置情報あるいは位置特定情報として配送要求受信手段に送信するためのプログラムでもよい。外部メモリ素子としては、ＵＳＢキー、ＳＤカード（登録商標）、メモリースティック（登録商標）、などの形態とすることができる。外部メモリ素子の場合、その外面に非常用の表示を付して、本人が発症したときにはこの外部メモリ素子をコンピュータに装着・接続して、治療用自己細胞の配送を受けるための手続を行うような注意書きを記載すると好適であり、また、ＩＤ情報記憶手段１１と一体の構成であるとさらに好適である。
【００５４】
配送要求処理部２０は、配送要求受信手段２１、会員情報検索手段２２、会員情報記憶手段２３、合意確認手段２４、費用充当要求手段２５、配送元特定手段２６、配送要求転送手段２７、配送指令手段２８、及び通信・制御手段２９から構成される。それらの形態は、別個の物理的構成を有する必要はなく、サーバなどのコンピュータにおいて所定のプログラムが実行されることによって当該コンピュータが機能させられる構成である。配送要求受信手段２１は、配送要求を、通信ネットワーク４０を介して受信する構成要素である。配送要求受信手段２１は、典型的には、通信ネットワーク４０に接続された、通信アプリケーションが実行されているＷｅｂサーバなどのサーバの形態とすることができる。配送要求受信手段２１は、配送要求を発する配送要求部１０との間で自動的に一連の情報の送受信を行うことができ、かつ、受信した配送要求に基づいて自動的に後段に必要な情報を伝達することによって、配送要求処理部２０を確実に起動させることができる。配送要求受信手段２１は、他には、公衆電話網を通じて送信された音声を解釈することによって得られた配送要求のデータを入力するものであってもよい。
【００５５】
会員情報検索手段２２は、会員情報のデータ管理を行う構成要素であり、典型的にはデータベース管理を行うコンピュータの形態である。会員情報は、ＩＤ情報、パスワード、氏名、性別、生年月日、住所、電話番号、メールアドレス、治療用自己細胞の保管状況（保管している保管設備３０の情報、保管している治療用自己細胞の種類など）、入会時アンケートの結果、保険契約の内容、事前合意の有無、（事前合意がない場合に）治療に合意できる会員の関係者の情報などであり、これらの情報により、会員の確実な登録を行うことができる。さらに会員情報として、顔写真イメージ、指紋パターン、静脈パターン、及び虹彩パターンなどの識別用身体的特徴を表わす会員識別情報を使用することもでき、これらの情報により、会員が意識不明の状態に陥っていても、会員本人であることの確実な識別を第三者が行うことが可能となる。また会員情報に、会員の医学的情報、例えば、血液型、健康診断の結果、既往症やその治療状態、常用薬物、薬物アレルギーなども含めることができ、これらの情報を治療施設に転送することによって、救急治療に有用な情報を現場に伝達することができる。
【００５６】
会員情報記憶手段２３は、前記の会員情報を記憶する構成要素である。会員情報記憶手段２３は、好適にはデータが格納されたハードディスクドライブなどの形態であり、種々の会員情報を記憶している。合意確認手段２４は、ネットワークを通じて、会員から治療の事前合意を得たり、事前合意がない場合に配送時に合意を得る構成要素である。費用充当要求手段２５は、金銭の管理を行う構成要素である。費用充当要求手段２５は、会員からの会費（及び保険に加入している場合は保険料）の徴収が正常に行われていることをモニターしておき、費用発生時にはその徴収金から当該費用を充当する旨の要求をする。費用充当要求手段２５は、治療用自己細胞配送支援システムが金融システムとしての機能も有する場合の追加的構成要素である。
【００５７】
配送元特定手段２６は、会員の位置情報に基づいて、あらかじめ登録された複数の治療施設を含む場所の内から当該会員が治療を受けるべき適切な配送先を特定し、複数の保管設備の内の適切な保管設備を配送元として特定する構成要素である。
【００５８】
配送要求転送手段２７は、配送元特定手段２６によって特定された保管設備３０に関連する転送配送要求受信手段３１に、配送要求（会員の情報及び配送先の情報）を送信する構成要素である。送信される会員の情報には、識別用身体的特徴を表わす会員識別情報を含めてもよい。配送要求は通信ネットワーク４０を介して送信されてもいいし、その他のネットワークを通じて送信されてもよい。なお、保管設備３０が１つしか存在しない場合は、配送元特定手段２６、及び配送要求転送手段２７は必ずしも必要ない。配送指令手段２８は、配送処理部６０に治療用自己細胞の配送を行わせるために、配送指令受信手段６１に、治療用自己細胞の配送指令を送信する構成要素である。なお、配送手段６２が複数ある場合には、それの種類及び地理的位置に基づいて、その中から適切なものを選択し、そこに対して配送指令を送信する。通信・制御手段２９は、配送要求処理部２０の通信ネットワークに対する送受信処理及びその関連の制御を行う構成要素であり、配送処理のプロセスの進行状況を通信ネットワーク４０を介して会員端末５０に送信したり（プロセス通知手段としての機能）、入会時などにおける各種の情報を会員端末５０との間で送受信したりする。会員あるいは会員の関係者は、インターネットなどを通じて、配送処理の進行状況を知ることができる。通信・制御手段２９は、配送要求処理部２０に含まれるそれぞれの構成要素と接続されており、それらの状況を受信して配送要求処理部２０の状況として通信ネットワーク４０を介して送信する。
【００５９】
保管設備３０は、転送配送要求受信手段３１、会員識別情報出力手段３２、配送要求出力手段３３、及び保管手段３４から構成される。保管設備３０は、１ヵ所あるいは地理的に異なる複数の箇所に設置された施設であり、治療用自己細胞の保管・配送基地として機能する。転送配送要求受信手段３１は、配送要求転送手段２７から送信される配送要求を受信する構成要素であり、典型的には、Ｗｅｂクライアント等のネットワーククライアントの形態である。会員識別情報出力手段３２は、配送要求転送手段２７から識別用身体的特徴を表わす会員識別情報を受信した場合にそれを出力する構成要素であり、これによって保管設備３０内の担当者に対して会員識別のための身体的特徴を知らせる。会員識別情報出力手段３２は、典型的には、ディスプレイ、スピーカ等の形態である。配送要求出力手段３３は、受信された配送要求を出力する構成要素であり、これによって保管設備３０内の担当者に対して、治療用自己細胞の配送を要求している会員の情報及び配送先を出力する。配送要求出力手段３３は、典型的には、ディスプレイ、スピーカ等の形態であり、地図等の付加情報もあわせて出力することができると好適である。保管手段３４は、治療用自己細胞を保管する構成要素である。保管手段３４は、典型的には、会員の治療用自己細胞を所定の容器に収めた上で低温（例えば、液体窒素の常圧での沸点であるマイナス１９６℃）に保持することによって冷凍保存するための構成を有している。会員の治療用自己細胞は、会員毎にラベリングすることによって厳密に区別して保管される。また、同じ会員の治療用自己細胞であっても、複数の種類の治療用自己細胞を区別して保管しておくこともできる。
【００６０】
通信ネットワーク４０は、情報の伝達を媒介する網状組織からなる構成要素であり、典型的にはインターネット、専用線ネットワークなどの情報通信ネットワークの形態である。音声で情報を伝達する場合には、公衆電話網であってもよい。
【００６１】
会員端末５０は、通信ネットワーク４０に接続され、情報を入出力したり操作したりする構成要素であり、典型的には、Ｗｅｂブラウザを装備したパーソナルコンピュータ、携帯電話機、ＰＤＡなどの携帯端末である。入会希望者、会員、あるいは会員の関係者（会員の家族など）は、この会員端末５０を通じて、当該会員に関連する情報の授受を行う。
【００６２】
治療用自己細胞配送支援システム１００に接続されている配送処理部６０は、配送指令受信手段６１及び配送手段６２から構成される。配送指令受信手段６１は、配送指令手段２８からの配送指令を受信して出力する構成要素であり、典型的には、Ｗｅｂクライアント等のネットワーククライアントの形態である。配送指令手段２８と配送指令受信手段６１とは、通信ネットワーク４０を介して接続されていてもよい。配送手段６２は、保管設備３０内に保管されている治療用自己細胞を病院などの配送先に配送する交通手段であり、典型的には、自動車、二輪車、ヘリコプターなどである。配送指令手段２８から出力された配送指令を見た担当者は、配送手段６２を使用して保管設備３０から治療用自己細胞を配送先へ配送する。
次に図面を参照して、本発明の他の実施形態に係る治療用自己細胞配送支援システム１０１の構成について説明する。治療用自己細胞配送支援システム１０１は、治療用自己細胞配送支援システム１００に対して、会員の位置情報を常時的にモニターすることによって、会員が病院などの施設に入ったことを自動的に判断することができる点が異なっている。図１９は、治療用自己細胞配送支援システム１０１の構成を表わすシステム構成図である。治療用自己細胞配送支援システム１０１は、治療用自己細胞配送支援システム１００と同じ構成要素を備え、それに対してさらに、常時位置通報手段７１、常時位置受信手段７２、位置比較手段７３、施設位置記憶手段７４、及び配送要求確認手段７５を含む。治療用自己細胞配送支援システム１００と同じ符号の構成要素は、それと同じ構成・機能を有する。
【００６３】
常時位置通報手段７１は、それの位置情報を常時的に出力する構成要素である。前述の位置通報手段１２は、会員が配送要求を発するときにそれに位置情報を含ませるために使用されるのに対し、常時位置通報手段７１は、会員の常時的な位置を積極的に報知し、当該会員の位置をモニターさせる点で異なっている。常時位置通報手段７１は、典型的には、ＧＰＳ受信機の機能、携帯電話会社の位置情報サービス、アドホックネットワークロケータなどの受信機能を有しており、それによって位置情報を取得し、それを通信ネットワーク４０に常時的に出力する。常時位置通報手段７１は、好適には会員が携帯して持ち歩くために適した携帯機器型などの形状を有しており、これにより、その常時位置通報手段７１を携帯している会員の位置情報あるいは位置特定情報を通信ネットワーク４０に常時的に送信することができる。常時位置通報手段７１は、位置通報手段１２と同様の構成のものを、動作を常時的に行わせるようにしたものでもよい。この場合、常時位置通報手段７１は、位置通報手段１２を構成的、機能的に包含するものとすることができる。
【００６４】
常時位置受信手段７２は、通信ネットワーク４０を介して常時位置通報手段７１と接続される。常時位置受信手段７２は、常時位置通報手段７１から会員の位置情報あるいは位置特定情報を受信し、それを位置比較手段７３に伝達する。
【００６５】
位置比較手段７３は、常時位置受信手段７２から伝達された会員の位置情報を、施設位置記憶手段７４に記憶された、病院などの施設の位置情報と比較し、当該会員が位置情報が記憶された施設内にいるかどうかを判断する構成要素である。位置比較手段７３は、伝達された位置情報を検索キーとして、当該位置情報から所定の距離内に位置する施設を検索する。施設位置記憶手段７４に記憶された位置情報を検索し、施設位置記憶手段７４が位置情報を記憶する施設は、治療用自己細胞による治療が可能である病気の治療施設とする。そのような治療施設としては、病気の種類に応じて、緊急病院、総合病院、脳外科病院、などが挙げられる。位置比較手段７３は、会員の位置情報が、施設の位置情報と合致すると、当該会員がその施設内に入ったと判断し、配送要求確認手段７５にその旨を伝達する。位置比較手段７３は、位置以外の二次的指標にさらに基づいて付加的な判断を行い、判定制度を高めることができる。例えば、施設位置記憶手段７４は、専門性に応じた専門性指標をそれぞれの病院について記憶しておくこともでき、位置比較手段７３は、位置情報の比較時に、それに基づいて配送の要否の高い精度の判定を行うようにすることができる。脳梗塞治療を専門的に行う緊急病院であれば最高値の専門性指標、緊急病院であればそれに次ぐ高い専門性指標、といったような指標とし、専門性指標が高いほど、配送が必要であると判定する確率を高くするようにするなどしてそれを判定の際に用いることができる。また、位置比較手段７３は、時刻を判定の指標とすることもできる。例えば、深夜、早朝などであれば、平常時であればそのような時刻に病院に行くことはあまり考えられないために、配送が必要であると判定する確率を高くすることができる。
【００６６】
配送要求確認手段７５は、位置比較手段７３によって施設内に入ったと判定された会員についての配送要求を発するかどうかの確認を行い、確認後に当該会員の会員のＩＤ情報及び位置情報から配送要求を生成して配送要求処理部２０に送信し、治療用自己細胞の配送要求を発する。発送要求を発するかどうかの配送要求確認は、種々の方法で行うことができる。例えば、配送要求確認手段７５が、会員本人に対して電話やメールなどを自動的に発信してその応答によって配送要求の有無を確認することや、施設の担当者に電話やメールなどを発信してその応答によって配送要求の有無を確認することや、配送要求確認手段７５が運営主体側のオペレータに会員の位置情報を出力し、オペレータによって判断された配送要求の入力を受け付けることによって、配送要求の確認を行うことができる。会員本人に対する確認は、常時位置通報手段７１と近接して配送要求確認手段７５からの配送要求確認を受信して会員に出力する専用の配送要求確認受信手段を設け、そこに配送要求の確認を送信することによって行うこともできる。配送要求確認手段７５は、配送要求が発せられたことの確認がされると、配送要求を配送要求処理部２０に送信する。配送要求には、会員が入ったと判定された施設の情報を含めることもでき、配送手段６２による治療用自己細胞の配送が円滑に行われるように、配送先である施設の情報を伝達することもできる。
これから治療用自己細胞配送支援システム１００及び１０１の動作の準備段階である治療用自己細胞の保管のための動作を、動作フロー図を参照しながら説明する。図２０は、治療用自己細胞配送支援システム１００及び１０１における治療用自己細胞の保管設備３０への入庫までの動作を示す動作フロー図である。図２０においては、上段の点線内のブロックが検体（自己細胞）に関するフローを表わし、中段の点線内のブロックが会員情報を記憶する会員情報記憶手段２３に関するフローを表わし、下段の点線内のブロックがＩＣタグに関するフローを表わす。ＩＣタグは、検体の容器に貼付され、検体の識別のための検体番号などの情報を記憶する。情報の書き込み及び読み出しは非接触で行われる。図２０では、左側の点線内のブロックが病院・研究施設内のフローの部分を表わし、中央の点線内のブロックが移送手段内のフローの部分を表わし、右側の点線内のブロックが保管設備３０内のフローの部分を表わす。
【００６７】
まず、自己細胞を採取しようとする会員は、病院・研究施設において、検体（自己細胞）が採取される（ステップＳ５１）。検体は、骨髄から必要量、例えば５ｍｌ程度採取される。採取された検体は、治療用自己細胞として適しているかどうかを判断するために生化学的に検査される（ステップＳ５３）。検査された検体の生化学的情報は、会員ＩＤ情報に関連付けられて会員情報記憶手段２３に記憶される（ステップＳ５５）。検体を識別するための検体番号が、その検体の容器に貼付されているＩＣタグに入力される（ステップＳ５７）。この検体番号は、会員ＩＤ情報に関連付けられて会員情報記憶手段２３に記憶される。病院・研究施設が保管設備３０とは別の場所にある場合には、検体を識別するためにＩＣタグから検体番号を読み出した後（ステップＳ５９）、その検体は自動車等の移送手段により保険設備３０へと移送される（ステップＳ６１）。移送された検体は、保管設備３０において受け付けられる（ステップＳ６３）。受付時には、ＩＣタグから検体番号が読み出されて照合される（ステップＳ６５）。会員情報記憶手段２３に記憶された生化学的な検体情報が出力され（ステップＳ６７）、これ以降の検体の処理のために使用される。検体受付時に、受付日、受付量、細胞種別などの受付情報が、会員情報記憶手段２３へと入力されて記憶される（ステップＳ６９）。次に検体から幹細胞が分離され、細胞が調製される（ステップＳ７１）。次に検体は細胞培養され、少なくとも治療に必要な量まで増殖させられる（ステップＳ７３）。必要な量は、典型的には、１０8個程度である。培養された自己細胞は検査され、治療用として適しているかどうかが判定される（ステップＳ７５）。培養結果の検査結果は、会員情報記憶手段２３へと入力されて記憶される（ステップＳ７７）。培養され、検査で治療用として適していると判断された自己細胞は、治療用自己細胞として、それを収容する容器とともに保管手段へと入庫されて凍結保存される（ステップＳ７９）。保管手段は、所定の低温に温度制御された冷凍設備である。保管開始日、保管期限、保管量、細胞種別などの保管情報が会員情報記憶手段２３へと入力されて記憶される（ステップＳ８１）。この状態で、治療用自己細胞を長期間保存しておくことができる。
【００６８】
保管設備３０において会員から発せられた配送要求が受信されると（ステップＳ８３）、検体番号をＩＣタグから読み出して治療用自己細胞を識別し（ステップＳ８５）、該当する治療用自己細胞が保管手段から出庫され、配送先へと出荷される（ステップＳ８７）。凍結状態からの解凍は、出荷前に行ってもいいし、また配送先に到着した後に解凍を行ってもいいが、好適には、出庫直後から配送中にかけて、専用の携帯解凍機器に入れて温度管理を行いながら解凍を行わせることが望ましい。このようにすると、保存されていた治療用自己細胞を最短の時間で使用できる状態にすることができる。出庫日等の出庫情報は、会員情報記憶手段２３へと入力されて記憶される（ステップＳ８９）。
【００６９】
これから治療用自己細胞配送支援システム１００（以下、「本システム１００」と略する。）の動作を、動作フロー図を参照しながら説明する。図２から図５は、本システム１００の典型的な動作を示す動作フロー図である。図６から図１５は、主な画面のイメージ図である。まず、会員の入会の受付から、定常時の処理の流れまでについて説明する。入会の受付は典型的にはインターネットである通信ネットワーク４０を経由して会員端末５０の画面上で行われる。
【００７０】
まず、通信・制御手段２９は、本システム１００のサービスへ入会するためのＷｅｂサイトをインターネットである通信ネットワーク４０を介して提供している。入会希望者が、会員端末５０から通信ネットワーク４０を介して会員登録のために当該Ｗｅｂサイトを通じて本システム１００にアクセスしてくると、通信・制御手段２９は、会員登録のための画面を会員端末５０に表示させ、それを介して必要な会員情報のデータを取得する（ステップＳ１０１）。入会時には、以下のような処理が行われる。まず、本システム１００は、会員番号などの会員に一意的に対応するＩＤ情報を発番し、入会希望者にパスワードを決定させる。そして、会員の氏名、性別、生年月日、住所、電話番号、メールアドレスなどの必要項目の入力を促す。図６は、このための会員登録画面のイメージ図である。次に本システム１００は、会費の支払方法（月払い、年払い）、入会時一時払い金の有無及びそれの金額、振替口座の銀行名・口座種別・口座番号などの入力のための画面を表示し、入会希望者に入力を促す。図７は、このための会費徴収方法選択画面である。なお、振替口座の入力項目のみならず、クレジットカードなどの他の決済手段についての入力項目を表示させてもよい。また入会時には、治療費用、配送等一時費用などを保険金で支払うための保険の加入画面も表示する。すなわち、ここでは、保険への加入意思の確認が通信ネットワーク４０を通じて行われ、かつ、保険の加入に必要な所定の情報の少なくとも一部が通信ネットワーク４０を通じて取得される。図８は、このための保険加入画面のイメージ図である。その保険加入画面では、保障内容に応じた複数のコースが選択できるようになっている。例えば、保険料の金額が、５万円、３万円、又は１万円のコースから、選択することができる。また、支払方法（月払い、年払い）、加入時一時払い金の有無及びそれの金額、振替口座の銀行名・口座種別・口座番号（あるいはクレジットカード番号）などの入力も行うことができる。ここで、保険のコースとして、保険金の限度額については、治療費用が５０万円、配送等一時費用が３０万円で、保険料については、５万円のコース、同様に、それぞれ３０万円、２０万円、及び３万円のコース、１０万円、６万円、及び１万円のコースが提供されているとする。それぞれのコースについて、保険への加入を促進するために、保険への加入時と未加入時における、保険料、配送要求を行った場合の費用（事故時の対応費用や治療費）、及び保険金の典型的な設計例を表示し、保険加入のメリットを印象付けて保険の加入を促進するようにすると好適である。図１４は、このための保険設計例表示画面（１）のイメージ図であり、図１５は、このための保険設計例表示画面（２）のイメージ図である。なお、ここでの事故時の対応費用には配送費用が含まれるが、その配送費用は、入会希望者の住所、最も近い保管設備３０の所在位置、配送手段６２の種類などから所定の計算によって求めたものであると好適である。
【００７１】
入会時には、問診を兼ねて、所定のアンケートを実施すると好適である。図１１は、このためのアンケート画面のイメージ図である。アンケートにおいては、この治療用自己細胞による治療が可能な疾病・事故についてのリスク・ファクターを項目とする。項目は、例えば、職業、起床時間、就寝時間、仕事時間、仕事の内容、飲酒量、タバコの有無、食事内容、運動時間、ストレス度、脳梗塞の既往、脳卒中の既往、脳卒中の家族歴、年齢、性別、糖尿病の既往、高血圧の有無、高脂血症の有無、タバコの常用、酒の常用、ピルの常用、肥満度、などである。それぞれのアンケート項目は、所定のリスク寄与度が与えられており、アンケートの入力結果とリスク寄与度とから計算によって、脳梗塞危険度を算出することができる。ここで、このアンケート結果（すなわち、脳梗塞危険度）に応じて、保険の料率を変更することも可能であるが、そのような差別化を行わなくてもよい。さらに、アンケート結果に応じて危険度や生活アドバイスなどを表示して簡単なカウンセリングを実施することによって、会員の生活態度を正すとともに、危険度を低減させることもできる。このように、脳梗塞危険度や生活アドバイスなどのフィードバックを行うと好適である。図１２は、このための生活アドバイス画面のイメージ図である。その図では、脳梗塞危険度が「Ｂ」と評価されている。さらに、脳梗塞危険度が高い場合などに、脳ドックなどの検査の案内や申込画面などを表示するようにすることもできる。なお、生活アドバイスの効果によって危険度を低くすることができると、徴収金から配送等一時費用として支出される金額が小さくなり、徴収した会費や保険料に余裕を持たせることができる。
【００７２】
次に、合意確認手段２４が、治療用自己細胞による治療についての説明事項を会員端末５０に表示させ、治療についての合意を会員の情報の一部として取得する（ステップＳ１０３）。ここでの合意は、障害発生時（病気や事故）には会員の状態にかかわらず治療を開始してもよい、という積極的な治療意思を含めてのインフォームド・コンセントである。ここで、事前にそのような治療意思の確認をすることによって合意を取得しておくことは、会員が障害発生時に意識が低下する可能性を考慮すると、非常に重要なことである。なお、説明事項の表示の際には、一つ一つの説明事項にチェック欄を設けてチェックをさせたり、説明中の重要なキーワードの入力を求めたり、文節を並べ替えて説明事項を再現させたりして、入会する人の確実な説明の理解を促すようにすると好適である。図９は、チェック欄を設けた、このための説明事項確認画面のイメージ図である。ここで、会員から治療意思についての合意が得られなかった場合には、合意確認手段２４は、治療に代理承認者として合意できる会員の関係者についての情報（氏名、住所、電話番号（緊急連絡先）、メールアドレス、続柄など）の会員端末５０からの入力を促す（ステップＳ１０５）。会員の関係者とは、例えば、会員の家族、会社の関係者、主治医など、会員の健康に一定の責任を有している者である。障害発生時に会員本人の意思確認ができない場合、これらの関係者からの（本人代理としての）合意により治療を開始してもよいということを事前に確認しておくことによって、障害発生時にはこれらの関係者に連絡して合意を確認することができる。図１０は、事前合意の有無の確認と、代理承認者の入力を行うための、事前合意確認画面のイメージ図である。
【００７３】
上記のステップで取得した会員の情報は、会員情報検索手段２２によって会員情報記憶手段２３に記憶させられる（ステップＳ１０７）。入会した会員は、所定の病院等の施設で治療用自己細胞を採取し、治療に必要な量まで増殖・培養した後に保管手段３４に保管する（ステップＳ１０９）。治療用自己細胞としては、間葉系幹細胞（MSC：mesenchymal stem cell）を骨髄から採取する。すなわち、まず、採取後の骨髄細胞から間葉系幹細胞を分離する。分離した間葉系幹細胞は、治療に必要な量まで、典型的には１×１０7から１×１０8個程度の量にまで増殖させる。増殖させた間葉系幹細胞は、数十ｃｃ程度の溶液に浮遊させた状態に調整する。これは、そのまま患者の体内に投与できる状態でもある。その後、プログラムフリーザーによって目的温度まで下げ、液体窒素を満たした保存容器内で保管する。なお、間葉系幹細胞に遺伝子操作を加えたり、特定の因子を働かせたりしてもよい。また、間葉系幹細胞から分化誘導させた細胞、具体的には、神経幹細胞、神経系細胞、赤血球、白血球、血小板、心筋、それらの前駆細胞などを治療用自己細胞とすることもできる。この際、基本的には、あらゆる細胞への誘導が将来的に可能となることが見込まれている。従って、治療用自己細胞は複数の種類であってもよく、この場合、保管手段３４はそれら複数の種類を区別して保管する。保管手段３４は、保管設備３０及び保管手段３４が、地理的に異なる複数の場所にある場合には、会員の住所等を考慮して、最も近い保管手段３４を選択すると好適である。最も近い保管手段３４とは、距離が最小のものであってもよいし、交通手段、交通経路を考慮して、最短の時間で結ばれる、配送時間が最小の地理的位置にあるものであってもよい。もちろん、すべて、あるいは複数の保管設備３０を使用してもよい。出張などに備えて、それまでに使用していなかった保管設備３０を一時的に使用してもよい。また、会員の転勤・引越しなどにより居住地が移動した場合は、治療用自己細胞を、新しい居住地に近い保管設備３０に移動させてもよい。このような移動は、会員が登録された住所などの変更のためにインターネットを通じて本システム１００にアクセスしてきたときに、新しい保管設備３０の候補を表示して選択させ、それが選択されたことを契機として行うようにすると好適である。
【００７４】
保管の作業が終わると、会員情報検索手段２２が、ある会員の治療用自己細胞がどの保管設備３０に保管されているのかを会員情報記憶手段２３に記憶させる（ステップＳ１１１）。その後、費用充当要求手段２５が、維持管理費用の会費の徴収処理及び保険料の払込処理を行う（ステップＳ１１３）。すなわち、会費については、会費の徴収が正常に行われており、保険については払込が正常に行われていることを、通信・制御手段２９を介して関連する情報を受信して確認する。費用充当要求手段２５は、徴収した会費から維持管理費用への充当を通信・制御手段２９を介して関連する要素に定期的に要求する（ステップＳ１１５）。すなわち、例えば月１回の割合で、徴収会費用の口座から、本システム１００の運営主体外の維持管理費用用の口座に振込あるいは振替することによって支出する要求をする。維持管理費用が振込あるいは振替にて送金された維持管理費用用の口座の運営主体は維持管理費用の入金が完了した旨の処理を行う（ステップＳ１１７）。費用充当要求手段２５は、徴収した会費から維持管理費用を減じた金額の一部を、前払いプール金として積み立てる処理を行う（ステップＳ１１９）。すなわち、例えば月１回の割合で、徴収会費用の口座から、前払いプール金用の口座に振込あるいは振替することによって支出する要求をする。
【００７５】
次に、会員の障害発生時における流れについて説明する。配送要求部１０は、会員の心拍数、呼吸周期、心電図パターン、音声、身体動作などの身体的データモニターを備えており、それは身体的データに所定の異常が検出された場合に、障害発生と判断して配送要求部１０を起動させる（ステップＳ１５１）。この場合、脳梗塞などの、本発明が対象とする所定の疾病に特に特徴的な異常を検出するようにしておくと好適である。ここで、誤作動を防止するために、前記身体状況のデータに異常が検出された場合に一旦その旨を出力し、それから所定の時間内に確認の入力がなされなかったことを条件として配送要求を送信するようにしてもよい。また、会員が手動によって配送要求部１０を起動させることもできる。脳梗塞は、それが発生する脳の場所、その程度により、軽症から重症に至るまで症状は多彩であるが、運動麻痺、感覚障害、意識障害、失語、痴呆、不随意運動、心臓停止（死亡）などが中心的な症状である。しかし、脳梗塞の場合は、障害発生後も患者の意識は保たれるのが普通であるため、会員が手動によって配送要求部１０を起動する構成をとることによっても、障害の発生した会員は、ほとんどの場合、確実に配送要求部１０を起動させることができると考えられる。配送要求部１０に含まれる位置通報手段１２は、当該会員の位置情報を取得する（ステップＳ１５３）。位置情報は、会員の手入力、ＧＰＳ信号の受信、携帯電話会社の位置情報サービスのような地上無線局からの信号の受信によって取得する。ＩＤ情報記憶手段１１は、それが記憶しているＩＤ情報を読み出し、配送要求処理部２０に向けて通信ネットワーク４０に対して出力する（ステップＳ１５５）。出力は、読み出し無線信号に応答して無線で行うと好適である。この際に、位置情報も送信され、これによって会員の身辺から配送要求が送信される。
【００７６】
送信された会員のＩＤ情報及び位置情報を、配送要求受信手段２１が受信する（ステップＳ１５７）。これによって配送要求処理部２０が起動させられる。会員のＩＤ情報及び位置情報は、１回のデータの送受信動作によって伝達されるものであっても、複数回のデータの送受信動作によって伝達されるものであってもよい。ここで、配送要求受信手段２１が配送要求部１０からの配送要求に応じて配送要求処理部２０を確実に起動させるためには、まず、配送要求受信手段２１自体が、受信したデータに応答して自律的に起動しなければならない。このためには、配送要求受信手段２１は、受信するデータを常にモニターしており、その中から配送要求を弁別しなければならない。そのための手法としては、配送要求受信手段２１は通信ネットワークとの配送要求専用の接続部（ＷＷＷにおいてはＵＲＬなどのアドレスで特定される接続部、電子メールにおいてはメールアドレスで特定される接続部、電話回線においては電話番号で特定される接続部、など）を通じてのみ受信を行うこととし、そのアドレスに送信されてきたデータは必ず配送要求であることとすることが考えられる。この場合、配送要求受信手段２１は、データを受信したことのみによって配送要求を発しようとする配送要求部１０があると判断し、受信したデータの発信元の情報を参照して、その発信元である配送要求部１０に続く会員のＩＤ情報及び位置情報の送信許可信号を送る。データの発信元の情報は、通信がＷＷＷを通じたものであれば、データを伝達するＨＴＴＰセッションのヘッダー部分などに含まれる。通信が、電子メールによるものであれば、発信元メールアドレスに発信元の情報が含まれる。通信が、電話回線を通じたものであれば、例えばナンバーディスプレイサービス（関連技術としては、特開２００３−１８６３４号公報などを参照する。）を利用して発信元の情報を取得することができる。
【００７７】
配送要求部１０は受信した送信許可信号に応答して、会員のＩＤ情報及び位置情報を配送要求受信手段２１に送信する。配送要求受信手段２１は、これによって確実に会員のＩＤ情報及び位置情報を含む配送要求を受信することができ、後続の処理を行うような指令をコンピュータに出すことによって、配送要求処理部２０の一連の動作を起動させることができる。なお、上記の動作の例は、送信許可信号を使用することによって、２回以上のデータの送信によって配送要求の全体を伝達するものであるが、１回の送信データに配送要求の全体の情報を含めることによって、１回の送受信動作によって配送要求の全体を伝達するようにしてもよい。
【００７８】
あるいは、配送要求受信手段２１は、特定の接続部であって、配送要求専用ではない接続部を通じて受信を行うこととすることも考えられる。この場合、そのアドレスに送信されてきたデータから配送要求を特徴付ける所定のデータ（ヘッダー情報など）を検出することによって配送要求が送信されてきたことを判断するようにすることも考えられる。
【００７９】
受信したＩＤ情報に基づいて、会員情報検索手段２２が会員情報記憶手段２３から当該会員の情報を検索する（ステップＳ１５９）。すなわち、ＩＤ情報を検索キーとして、当該会員の治療用自己細胞に関する情報が読み出される。次に、合意確認手段２４が、ステップＳ１０３において当該会員の治療に対する事前合意が得られているかどうかを確認する（ステップＳ１６１）。事前合意が得られている場合は、ステップＳ１６５に進行する。一方、事前合意が得られていない場合は、会員本人（会員に意識がある場合）又は会員の関係者（会員に意識がない場合）による、会員の治療についての合意を、通信ネットワーク４０を介して会員端末５０から取得し（ステップＳ１６３）、その後にステップＳ１６５に進行する。
【００８０】
次に、費用充当要求手段２５が、会費不足分の有無があるかどうか、すなわち会費の入金が滞っていないかどうかを会員情報検索手段２２に会員情報記憶手段２３から必要な会員の情報を検索させて確認する（ステップＳ１６５）。ここで、会費に不足がある場合には、費用充当要求手段２５が、前払いプール金からの会費不足分の充当を要求する。すなわち、前払いプール金用の口座から、徴収会費用の口座に振込あるいは振替することによって支出する要求をする（ステップＳ１６７）。これによって、会費が不足していることによる会員登録抹消の危険性を回避し、会員は万一会費納入に不備があっても、障害発生時に確実に治療用自己細胞による治療を受けることができる。その後、ステップＳ１６９に進行する。一方、ステップＳ１６５で会費の不足がないことが確認された場合は、そのままステップＳ１６９に進行する。次に、費用充当要求手段２５が、配送等一時費用の徴収会費からの充当を要求する（ステップＳ１６９）。すなわち、徴収会費用の口座から、配送等一時費用用の口座に振込あるいは振替することによって支出する要求をする。配送等一時費用が振込あるいは振替にて送金された配送等一時費用用の口座の運営主体は、維持管理費用の入金が完了した旨の処理を行う（ステップＳ１７１）。費用充当要求手段２５は、会員情報記憶手段２３に記憶された保険契約の内容に基づいて、配送要求に係る治療に対して保険が適用されるか否か、すなわち保険が有責か無責かを判断する（ステップＳ１７３）。費用充当要求手段２５が保険は無責であると判断し、保険金が支払われない場合、通信・制御手段２９は、その旨を通信ネットワーク４０を通じて会員端末５０に送信し、会員又は会員の関係者にその旨を通知する（ステップＳ１７５）。これは、保険金が支払われない場合には会員に多額の一時的な費用が発生するおそれがあるため、治療に先立ってそれを注意喚起のために早期に通知するものである。さらには、保険金でカバーされない治療費用について、それの支払意思を事前に示す機会を会員又は会員の関係者に与えることによって、治療費用の支払意思を病院が確認できないことにより障害発生時に治療用自己細胞による治療が受けられないという危険性を小さくするためでもある。その後、ステップＳ１７７に進行する。一方、ステップＳ１７３で保険が有責であることが確認された場合は、そのままステップＳ１７７に進行する。次に、費用充当要求手段２５が、診療費用に充当されるべき保険金の支払を要求する（ステップＳ１７７）。なお、ここでは、契約者サイドの合意を支払の要求の前に取り付ける処理があってもよい。すなわち、費用充当要求手段２５が、保険会社のコンピュータに当該会員及び保険を特定する情報などを送信し、保険金の支払処理を行うことを要求する。保険金の支払要求を受信した保険会社のコンピュータは、保険金の支払処理を実行する（ステップＳ１７９）。費用の充当の要求や保険金の支払の要求は、治療用自己細胞による治療が開始された後に一括して行ってもよいが、このように、それらを配送要求を受け取ってから逐次的に短時間で行うことによって、金銭的な裏付けを関連の機関に早期に与えることができ、システムを極めて円滑に運用することができる。
【００８１】
配送元特定手段２６が、会員の位置情報に基づいて、あらかじめ登録された複数の治療施設を含む場所の内から当該会員が治療を受けるべき適切な配送先を特定し、複数の保管設備の内の適切な保管設備を配送元として特定する（ステップＳ１８１）。このステップの詳細な動作は以下の通りである。まず配送元特定手段２６は、会員の位置情報に基づいて、あらかじめ登録された配送先の中から、その会員の位置に近い適切な配送先を特定する。配送先は、治療用自己細胞による治療を受けられる場所であり、所定の病院などである。特定した配送先は、通信ネットワーク４０を介して会員端末５０などの会員側に送信して通知すると好適である。こうすると、障害発生状態にある会員を、治療用自己細胞が配送されてくる配送先の病院等に確実に搬送することができる。なおこの配送先は、会員が特定した上で、配送要求処理部２０に対して送信してきてもよい。次に配送元特定手段２６は、その会員の治療用自己細胞を保管している保管手段３０の中からその特定された配送先への距離が最も小さい保管設備３０を配送元として特定する。より好適には、配送先への到達時間が最も短い、すなわち配送時間が最も小さい保管設備３０を配送元として特定する。その到達時間を算出する際には、適切な配送手段６２を選択した上で、その配送手段６２が使用する経路の混雑状況などを勘案すると好適である。
【００８２】
配送要求転送手段２７は、配送元の保管設備３０に関連する転送配送要求受信手段３１に、会員の情報及び配送先の情報からなる配送要求を送信する（ステップＳ１８３）。転送配送要求受信手段３１によって受信された配送要求は、配送要求出力手段３３によって担当者に向けて出力される（ステップＳ１８５）。担当者は、出力された配送要求を見て、その配送要求に係る会員の治療用自己細胞を保管手段３４から準備する。
【００８３】
配送要求転送手段２７は、配送元の保管設備３０に関連する転送配送要求受信手段３１に、配送要求に係る会員の識別用身体的特徴のデータも送信する（ステップＳ１８７）。転送配送要求受信手段３１によって受信された識別用身体的特徴のデータは、会員識別情報出力手段３２によって担当者に向けて出力される（ステップＳ１８９）。出力された識別用身体的特徴のデータは、顔写真イメージ、指紋パターン、静脈パターン、又は虹彩パターンなどの、会員を他者が見て会員本人であることを客観的に識別できる身体的特徴であり、その情報を携えて治療用自己細胞を配送先に配送することにより、会員が意識を失っている場合でも、配送先において確実に当該会員本人であることが確認される（ステップＳ１８９）。なお配送要求転送手段２７は、配送元の保管設備３０に関連する転送配送要求受信手段３１に、会員情報に含まれる当該会員の医学的情報（血液型、健康診断の結果、既往症やその治療状態、常用薬物、薬物アレルギーなど）を送信することもできる。
【００８４】
配送指令手段２８は、治療用自己細胞を配送する配送手段６２を会員の位置情報に基づいて特定し、その配送手段６２に関連する配送指令受信手段６１に配送指令を送信する（ステップＳ１９１）。具体的には、配送指令手段２８は、すべての配送手段６２の種類（自動車、二輪車、ヘリコプターなど）及び所在位置をあらかじめ記憶しており、会員の位置情報に基づいて会員の近傍の配送手段６２を実際に配送するものとして特定する。より精密には、配送元及び配送先の情報に基づき、配送手段６２の基地（配送処理部６０）から配送元を経由して配送先に到達するまでの時間が最小となるような配送手段６２を選択するとよい。そして、そのようにして特定された配送手段６２に関連する配送指令受信手段６１に、配送元、配送先などを情報として含む配送指令を送信する。配送指令が配送指令受信手段６１によって受信されると、配送手段６２の運転者はその配送指令を知ることができ、配送手段６２を運転して配送元の保管手段３４から配送先まで、配送要求に係る治療用自己細胞を配送する（ステップＳ１９３）。配送手段６２は、凍結保管されている治療用自己細胞を保管状態のまま配送するが、好適には、配送先に到着する予定時刻には治療のために使用可能となるように、配送中に解凍していてもよい。
【００８５】
治療用自己細胞を受け取った治療施設では、治療用自己細胞を解凍して体内投与できる状態に戻した後、会員の体内に点滴等で投与する。障害の発生から投与までの時間が短いほど、著明な効果が得られることは前述した通りである。そして、本発明に係る本システム１００の支援を受けた適切かつ迅速な配送により、会員のもとに早期に治療用自己細胞を届けることができる。これによって、会員に対する治療効果は飛躍的に高まることになる。
【００８６】
通信・制御手段２９が、配送要求処理部２０の状況を通信ネットワーク４０を介して会員端末５０に送信する（ステップＳ１９５）。具体的には通信・制御手段２９は、配送要求の受信時間、配送要求が送信された場所（会員の位置情報）、配送元として特定された保管設備、配送先の施設、配送指令手段２８によって特定された配送手段、配送の状況（出発準備中、出発完了、移動中（順調）、移動中（混雑）、配送完了など）、配送元の出発時間、配送先への到着予定時間（配送手段６２の種類、距離、経路の混雑状況などから計算によって求める。また配送手段６２からの連絡により、リアルタイムに修正することもできる。）、治療合意の有無、保険適用の有無（有責か無責か）などの情報を会員端末５０に送信する。図１３は、このためのプロセス通知画面のイメージ図である。このステップは上記の各ステップと並行的に動作しており、これによって配送要求処理部２０の動作状況、すなわち治療用自己細胞の配送作業の進行状況を会員の関係者がリアルタイムに把握できる。
【００８７】
次に、本発明の他の実施形態に係る治療用自己細胞配送支援システム１０１（以下、「本システム１０１」と略する。）の動作を、動作フロー図を参照しながら説明する。図２１は、治療用自己細胞配送支援システム１０１の常時位置通報に関する典型的な動作を示す動作フロー図であり、図３の動作フローを部分的に置換するものである。本システム１０１は、本システム１００とほぼ同様の動作を行うが、本システム１００におけるステップＳ１５１からＳ１５５の動作に代えて、図２１に示すステップＳ２０１からＳ２０９の動作を行う点が相違する。従って、その相違点の動作について説明する。
【００８８】
会員は、常時位置通報手段７１を常時的に携帯している。常時位置通報手段７１が、会員のＩＤ情報及び位置情報を通信ネットワーク４０を介して常時的に常時位置通報手段７２に通報する（ステップＳ２０１）。位置比較手段７３が、会員の位置情報に対応する施設の有無を、会員の位置情報を施設位置記憶手段７４に記憶された病院などの施設の位置情報と比較して当該会員が位置情報が記憶された施設内にいるかどうかを判断することによって確認する（ステップＳ２０３）。施設が無い場合は、ステップＳ２０１に戻る。施設があった場合は、会員に緊急事態が発生している可能性があるため、配送要求が必要かどうかをさらに確認するために次のステップに進む。次のステップでは、位置比較手段７３が、二次的指標により配送の要否を判定する（ステップＳ２０５）。二次的指標は、施設の専門性に応じた専門性指標、時刻などとすることができる。施設の専門性指標が高いほど、配送が必要であると判定する確率を高くする。また、時刻が、深夜、早朝などであれば、配送が必要であると判定する確率を高くする。配送が不要と判断されればステップＳ２０１に戻る。配送が必要であると判断されれば、実際に配送要求を発するかどうかを確認するために、次のステップに進む。次のステップでは、配送要求確認手段７５が、配送要求を発するかどうかを確認する（ステップＳ２０７）。配送要求を発するかどうかの確認は、本人、施設の担当者、運営主体側のオペレータ、などに対して行うことができる。本人に対しては、あらかじめ会員情報に登録されている電話番号やメールアドレスに基づいて、電話やメールを発信して確認することができる。施設の担当者に対しては、施設位置記憶手段７４に、それぞれの施設の電話番号やメールアドレスなどを記憶させておき、それを読み出すことによって、電話やメールを発信して確認することができる。これにより、会員本人が応答できないような状況の場合でも、確実な状況の把握が可能となり、配送要求を発するかどうかの確認を適切に行うことができる。運営主体側のオペレータに対しては、配送要求確認手段７５が会員の位置情報を出力し、オペレータの判断に基づく配送要求の入力を受け付けることによって、配送要求の確認を行うことができる。なおここで、オペレータは施設の担当者に連絡をして確認することもできる。配送要求をしないことが確認されればステップＳ２０１に戻る。配送要求をすることが確認されれば次のステップに進む。
【００８９】
次のステップでは、配送要求確認手段７５が通信ネットワーク４０を通じて配送要求処理部２０に対して配送要求を発する（ステップＳ２０９）。なお、この配送要求には、会員が入ったと判定された施設の情報、例えば施設の名前、電話番号、周辺の地図などを含めることもでき、配送手段６２による治療用自己細胞の配送が円滑に行われるように、配送先のそのような情報を伝達することもできる。これによって、当該会員に対する治療用自己細胞の配送要求が発せられることになる。以下、本システム１００のステップＳ１５７以下と同じステップが進行する。
【００９０】
この実施形態によると、会員が自発的に配送要求を発しなくても、その会員の位置をモニターすることによって、会員に対して治療用自己細胞の配送が必要かどうかを自律的に判断することができる。
【００９１】
なお、常時的に通報する会員の位置情報は、直接的な位置情報である必要はなく、間接的に位置の情報を特定することができるような位置特定情報でもよい。位置特定情報としては、例えば、施設にあらかじめ受信機を設置しておき、会員の常時位置通報手段７１からの信号をどの受信機が受信したのかという受信機特定情報でよい。この場合、その受信機が設置されている施設の位置はあらかじめ分かっているため、受信機特定情報とその施設の位置情報とをあらかじめ記憶しておくことによって、どの受信機が受信したのかという受信機特定情報が分かると、その受信機が設置されている施設を特定できるからである。
【図面の簡単な説明】
【００９２】
【図１】治療用自己細胞配送支援システム１００の構成を表わすシステム構成図である。
【図２】治療用自己細胞配送支援システム１００の典型的な動作を示す動作フロー図である。
【図３】治療用自己細胞配送支援システム１００の典型的な動作を示す動作フロー図であり、図２の続きである。
【図４】治療用自己細胞配送支援システム１００の典型的な動作を示す動作フロー図であり、図３の続きである。
【図５】治療用自己細胞配送支援システム１００の典型的な動作を示す動作フロー図であり、図４の続きである。
【図６】会員登録画面のイメージ図である。
【図７】会費徴収方法選択画面のイメージ図である。
【図８】保険加入画面のイメージ図である。
【図９】説明事項確認画面のイメージ図である。
【図１０】事前合意確認画面のイメージ図である。
【図１１】アンケート画面のイメージ図である。
【図１２】生活アドバイス画面のイメージ図である。
【図１３】プロセス通知画面のイメージ図である。
【図１４】保険設計例表示画面（１）のイメージ図である。
【図１５】保険設計例表示画面（２）のイメージ図である。
【図１６】重症脳梗塞（ラット中大脳動脈永久閉塞モデル）に対して間葉系幹細胞（１×１０6ｃｅｌｌ）を静脈内投与した結果を画像として示すＭＲＩ画像である。
【図１７】重症脳梗塞（ラット中大脳動脈永久閉塞モデル）に対して間葉系幹細胞（１×１０6ｃｅｌｌ）を静脈内投与した結果を脳梗塞領域の体積として示すグラフである。
【図１８】重症脳梗塞（ラット中大脳動脈永久閉塞モデル）に対して間葉系幹細胞（１×１０6ｃｅｌｌ）を静脈内投与した結果を障害発生後の生存率の変化として示すグラフである。
【図１９】本発明の他の実施形態に係る治療用自己細胞配送支援システム１０１の構成を表わすシステム構成図である。
【図２０】治療用自己細胞配送支援システム１００及び１０１における治療用自己細胞の保管設備３０への入庫までの動作を示す動作フロー図である。
【図２１】治療用自己細胞配送支援システム１０１の常時位置通報に関する典型的な動作を示す動作フロー図であり、図３の動作フローを部分的に置換するものである。
【図１】
0003706128.tif 000002
【図２】
0003706128.tif 000003
【図３】
0003706128.tif 000004
【図４】
0003706128.tif 000005
【図５】
0003706128.tif 000006
【図６】
0003706128.tif 000007
【図７】
0003706128.tif 000008
【図８】
0003706128.tif 000009
【図９】
0003706128.tif 000010
【図１０】
0003706128.tif 000011
【図１１】
0003706128.tif 000012
【図１２】
0003706128.tif 000013
【図１３】
0003706128.tif 000014
【図１４】
0003706128.tif 000015
【図１５】
0003706128.tif 000016
【図１６】
0003706128.tif 000017
【図１７】
0003706128.tif 000018
【図１８】
0003706128.tif 000019
【図１９】
0003706128.tif 000020
【図２０】
0003706128.tif 000021
【図２１】
0003706128.tif 000022